(57)【要約】【課題】シャッタの開閉に際してシャッタや商品収容庫の内壁が疵つくことのない自動販売機を提供すること。【解決手段】吸込口１８ａ及び吐出口１９ａを閉塞した位置から商品収容庫１４１を画成する底板１４７の上面１４７ａから離反した位置にシャッタ５４１１を移動させることにより、吸込口１８ａ及び吐出口１９ａを開放する一方、商品収容庫１４１を画成する底板１４７の上面１４７ａから離反した位置から吸込口１８ａ及び吐出口１９ａを閉塞した位置にシャッタ５４１１を移動させるガイドレール５４２２を備えるようにした。【選択図】        図５
2008065805.tif 000002
【特許請求の範囲】
【請求項１】
冷気吸込口が商品を収容する商品収容庫に開口する一方、他方が冷却熱交換機を収容した冷却室に開口し、前記商品収容庫から前記冷却熱交換器に空気を供給する冷気吸込ダクトと、冷気吐出口が前記商品収容庫に開口する一方、他方が前記冷却室に開口し、前記冷却熱交換器において冷却された空気を前記商品収容庫に供給する冷気吐出ダクトと、前記冷気吸込口を閉塞する吸込口閉塞シャッタと、前記冷気吐出口を閉塞する吐出口閉塞シャッタとを備え、前記商品収容庫に収容した商品を温める場合に、前記吸込口閉塞シャッタが前記冷気吸込口を閉塞するとともに、前記吐出口閉塞シャッタが前記冷気吐出口を閉塞する自動販売機において、
前記冷気吸込口を閉塞した位置から商品収容庫の内壁面から離反した位置に前記吸込口閉塞シャッタを移動させることにより、前記冷気吸込口を開放する一方、商品収容庫の内壁面から離反した位置から前記冷気吸込口を閉塞した位置に前記吸込口閉塞シャッタを移動させる吸込口閉塞シャッタ案内手段と、
前記冷気吐出口を閉塞した位置から商品収容庫の内壁面から離反した位置に前記吐出口閉塞シャッタを移動させることにより、前記冷気吐出口を開放する一方、商品収納庫の内壁面から離反した位置から前記冷気吐出口を閉塞した位置に前記吐出口閉塞シャッタを移動させる吐出口閉塞シャッタ案内手段と
を備えたことを特徴とする自動販売機。
【請求項２】
前記シャッタが、前記吸込口を密閉する吸込口密閉突起と、前記吐出口を密閉する吐出口密閉突起とを有し、
前記吸込口と前記吐出口とを閉塞した位置に前記シャッタを移動させた場合に前記吸込口密閉突起が前記吸込口を密閉するとともに前記吐出口密閉突起が前記吐出口を密閉することを特徴とする請求項１に記載の自動販売機。
【請求項３】
前記吸込口及び前記吐出口の開口縁を囲繞する気密部材を前記商品収容庫の内壁面または開口縁と密着する前記シャッタの閉塞面に設けたことを特徴とする請求項１に記載の自動販売機。
【請求項４】
前記商品収容庫の内部を循環する気流を受けることにより、前記シャッタ部材が前記商品収容庫の内壁面に向けて押圧される押圧力を生じる押圧手段を前記開閉部材に設けたことを特徴とする請求項１に記載の自動販売機。
【請求項５】
冷気吸込口が商品を収容する商品収容庫に開口する一方、他方が冷気熱交換器を収容した冷却室に開口し、前記商品収容庫から前記冷却熱交換器に空気を供給する冷気吸込ダクトと、冷気吐出口が前記商品収容庫に開口する一方、他方が前記冷却室に開口し、前記冷却熱交換器において冷却された空気を前記商品収容庫に供給する冷気吐出ダクトと、前記冷気吸込口を閉塞する吸込口閉塞シャッタと、前記冷気吐出口を閉塞する吐出口閉塞シャッタとを備え、前記商品収容庫に収容した商品を温める場合には、前記吸込口閉塞シャッタが前記冷気吸込口を閉塞するとともに前記吐出口閉塞シャッタが前記冷気吐出口を閉塞する自動販売機において、
暖気吸込口が前記商品収容庫に開口する一方、他方が加熱熱交換器を収容した加熱室に開口し、前記商品収容庫から前記加熱熱交換器に空気を供給する暖気吸込ダクトと、
暖気吐出口が前記商品収容庫に開口する一方、他方が前記加熱室に開口し、前記加熱熱交換器において加熱された空気を前記商品収容庫に供給する暖気吐出ダクトと、
前記冷気吸込口を閉塞した位置から商品収容庫の内壁面から離反した位置に移動させた後に前記暖気吸込口を閉塞した位置に前記吸込口閉塞シャッタを移動させることにより、前記冷気吸込口を開放する一方、前記暖気吸込口を閉塞する吸込口閉塞シャッタ案内手段と、
前記冷気吐出口を閉塞した位置から商品収容庫の内壁面から離反した位置に移動させた後に前記暖気吐出口を閉塞した位置に前記吐出口閉塞シャッタを移動させることにより、前記暖気吐出口を開放する一方、前記暖気吐出口を閉塞する吐出口閉塞シャッタ案内手段と
を備えたことを特徴とする自動販売機。
【発明の詳細な説明】
【技術分野】
【０００１】
本発明は、冷却熱交換器において吸熱することにより商品を収容する商品収容室の内部を循環する空気を冷却する自動販売機に関するものである。
【背景技術】
【０００２】
従来、商品を収容する複数の商品収容庫を有し、各商品収容庫に収容した商品を冷やしたり、あるいは温めたりすることにより、冷やした商品や温めた商品を販売できるようにした自動販売機が広く知られている。この自動販売機は、本体キャビネット内に左右に並べて区画し、周囲を断熱材で囲んだ２つの商品収容庫を備えている。商品収容庫の内部の上方域には、商品を収納する商品収納ラックが設けてあり、下方域には送風ファンおよびヒータが設けてある。また、商品収容庫の外部であってその下方位置には、断熱材で周囲を囲んだ冷却器室が各商品収容庫に跨って設けてある。この冷却器室の内部には、冷却器が設けてある。そして、各商品収容庫と冷却器室とは、本体キャビネットの前後に並べた一対の通路によって連通してある。この通路は、シャッタによって開放または閉塞される。シャッタによって通路が閉塞されると、商品収容庫の内部と冷却室の内部とが切り離される。ここで、送風ファンおよびヒータを稼働することにより、商品収容庫の内部空気が温められて循環され、商品収容庫に収容した商品が温められる。一方、シャッタによって通路が開放されると、商品収容庫の内部と冷却室の内部とが連通する。ここで、送風ファンおよび冷却器を稼働することにより、商品収容庫および冷却室の内部空気が冷やされて循環し、商品収容庫に収容した商品が冷却される。
【０００３】
上記通路は、商品収容庫の底板において開口する開口部を有している。また、シャッタは、板状体により構成してあり、その一方の面を商品収容庫の底板の上面に接触した状態で本体キャビネットの前後方向に移動するように設けてある。そして、シャッタを前方に移動した場合には、当該シャッタの下面が通路の開口部と重なり、通路が閉塞される。一方、シャッタを後方に移動した場合には、当該シャッタの下面が通路の開口部から外れることになり、通路が開放される（例えば、特許文献１参照）。
【０００４】
【特許文献１】特開昭５７−５２９８８号公報
【発明の開示】
【発明が解決しようとする課題】
【０００５】
ところで、自動販売機においては、商品収容庫の内部に多くの商品を収容できることが望まれている。このため、従来の自動販売機では、商品収容庫の底板の上面に沿って開閉部材を移動させるにより、シャッタの移動領域が商品収容庫内の大きな領域を占有する事態を防いでいた。しかし、従来の自動販売機は、シャッタの下面が商品収容庫を画成する底板の上面に接触した状態でシャッタを移動させていることから、通路の開口部を開閉する際に、シャッタの縁と開口部の縁とが擦れて、シャッタの縁や開口部の縁が疵つくことがあった。そして、開閉部材が疵つくことにより生じた欠片がシャッタと商品収容庫を画成する底板との間に挟まると、シャッタの下面と商品収容庫を画成する底板の上面との間に隙間が生じて通路の開口部を閉塞させることができなくなってしまう。
【０００６】
本発明は、上記実情に鑑みて、シャッタの開閉に際してシャッタや商品収容庫の内壁が疵つくことのない自動販売機を提供することを目的とする。
【課題を解決するための手段】
【０００７】
上記目的を解決するために、本発明の請求項１に係る自動販売機は、冷気吸込口が商品を収容する商品収容庫に開口する一方、他方が冷却熱交換機を収容した冷却室に開口し、前記商品収容庫から前記冷却熱交換器に空気を供給する冷気吸込ダクトと、冷気吐出口が前記商品収容庫に開口する一方、他方が前記冷却室に開口し、前記冷却熱交換器において冷却された空気を前記商品収容庫に供給する冷気吐出ダクトと、前記冷気吸込口を閉塞する吸込口閉塞シャッタと、前記冷気吐出口を閉塞する吐出口閉塞シャッタとを備え、前記商品収容庫に収容した商品を温める場合に、前記吸込口閉塞シャッタが前記冷気吸込口を閉塞するとともに、前記吐出口閉塞シャッタが前記冷気吐出口を閉塞する自動販売機において、前記冷気吸込口を閉塞した位置から商品収容庫の内壁面から離反した位置に前記吸込口閉塞シャッタを移動させることにより、前記冷気吸込口を開放する一方、商品収容庫の内壁面から離反した位置から前記冷気吸込口を閉塞した位置に前記吸込口閉塞シャッタを移動させる吸込口閉塞シャッタ案内手段と、前記冷気吐出口を閉塞した位置から商品収容庫の内壁面から離反した位置に前記吐出口閉塞シャッタを移動させることにより、前記冷気吐出口を開放する一方、商品収納庫の内壁面から離反した位置から前記冷気吐出口を閉塞した位置に前記吐出口閉塞シャッタを移動させる吐出口閉塞シャッタ案内手段とを備えたことを特徴とする。
【０００８】
また、本発明の請求項２に係る自動販売機は、上記請求項１において、前記シャッタが、前記吸込口を密閉する吸込口密閉突起と、前記吐出口を密閉する吐出口密閉突起とを有し、前記吸込口と前記吐出口とを閉塞した位置に前記シャッタを移動させた場合に前記吸込口密閉突起が前記吸込口を密閉するとともに前記吐出口密閉突起が前記吐出口を密閉することを特徴とする。
【０００９】
また、本発明の請求項３に係る自動販売機は、上記請求項１において、前記吸込口及び前記吐出口の開口縁を囲繞する気密部材を前記商品収容庫の内壁面または開口縁と密着する前記シャッタの閉塞面に設けたことを特徴とする。
【００１０】
また、本発明の請求項４に係る自動販売機は、上記請求項１において、前記商品収容庫の内部を循環する気流を受けることにより、前記シャッタ部材が前記商品収容庫の内壁面に向けて押圧される押圧力を生じる押圧手段を前記開閉部材に設けたことを特徴とする。
【００１１】
また、本発明の請求項５に係る自動販売機は、冷気吸込口が商品を収容する商品収容庫に開口する一方、他方が冷気熱交換器を収容した冷却室に開口し、前記商品収容庫から前記冷却熱交換器に空気を供給する冷気吸込ダクトと、冷気吐出口が前記商品収容庫に開口する一方、他方が前記冷却室に開口し、前記冷却熱交換器において冷却された空気を前記商品収容庫に供給する冷気吐出ダクトと、前記冷気吸込口を閉塞する吸込口閉塞シャッタと、前記冷気吐出口を閉塞する吐出口閉塞シャッタとを備え、前記商品収容庫に収容した商品を温める場合には、前記吸込口閉塞シャッタが前記冷気吸込口を閉塞するとともに前記吐出口閉塞シャッタが前記冷気吐出口を閉塞する自動販売機において、暖気吸込口が前記商品収容庫に開口する一方、他方が加熱熱交換器を収容した加熱室に開口し、前記商品収容庫から前記加熱熱交換器に空気を供給する暖気吸込ダクトと、暖気吐出口が前記商品収容庫に開口する一方、他方が前記加熱室に開口し、前記加熱熱交換器において加熱された空気を前記商品収容庫に供給する暖気吐出ダクトと、前記冷気吸込口を閉塞した位置から商品収容庫の内壁面から離反した位置に移動させた後に前記暖気吸込口を閉塞した位置に前記吸込口閉塞シャッタを移動させることにより、前記冷気吸込口を開放する一方、前記暖気吸込口を閉塞する吸込口閉塞シャッタ案内手段と、前記冷気吐出口を閉塞した位置から商品収容庫の内壁面から離反した位置に移動させた後に前記暖気吐出口を閉塞した位置に前記吐出口閉塞シャッタを移動させることにより、前記暖気吐出口を開放する一方、前記暖気吐出口を閉塞する吐出口閉塞シャッタ案内手段とを備えたことを特徴とする。
【発明の効果】
【００１２】
本発明に係る自動販売機によれば、吸込口閉塞シャッタ案内手段が、冷気吸込口を閉塞した位置から商品収容庫の内壁面から離反した位置に吸込口閉塞シャッタを移動させることにより、冷気吸込口を開放する一方、商品収容庫の内壁面から離反した位置から冷気吸込口を閉塞した位置に吸込口閉塞シャッタを移動させるので、吸込口閉塞シャッタが商品収容庫の内壁面と擦れて疵つくことがない。同様に、吐出口閉塞シャッタ案内手段が、冷気吐出口を閉塞した位置から商品収容庫の内壁面から離反した位置に吸込口閉塞シャッタを移動させることにより、冷気吐出口を開放する一方、商品収容庫の内壁面から離反した位置から冷気吐出口を閉塞した位置に吐出口閉塞シャッタを移動させるので、吐出口閉塞シャッタが商品収容庫の内壁面と擦れて疵つくことがない。
【発明を実施するための最良の形態】
【００１３】
以下に添付図面を参照して、本発明に係る自動販売機の好適な実施の形態を詳細に説明する。なお、この実施の形態によりこの発明が限定されるものではない。
【００１４】
（実施の形態１）
図１は本発明の実施の形態１に係る自動販売機を示した概略図、図２は図１に示す自動販売機の断面側面図、図３は図２におけるＡ−Ａ線断面図、図４は図２におけるＢ−Ｂ線断面図である。以下、これらの図を参照しながら、本発明の実施の形態１に係る自動販売機の構成について説明する。
【００１５】
ここで例示する自動販売機は、缶入り飲料やペットボトル入り飲料等の商品を販売するためのもので、本体キャビネット１０、内扉１１およびメインドア１２を備えている。
【００１６】
本体キャビネット１０は、複数の鋼板を適宜組み合わせることによって構成したもので、前面が開口した直方体状の筐体として形成してある。本体キャビネット１０の内部には、複数（ここでは３つ）の独立した商品収容庫１４１，１４２，１４３を左右方向に並べて設けてあり、各商品収容庫１４１，１４２，１４３の下方となる位置には、唯一の機械室１５が設けてある。
【００１７】
商品収容庫１４１，１４２，１４３は、前面が開口して他の周囲が断熱部材で囲まれ、商品収容庫１４１と商品収容庫１４２との間、および商品収容庫１４２と商品収容庫１４３との間に断熱部材１４４を取り付けることで、それぞれの商品収容庫１４１，１４２，１４３が断熱空間を成している。
【００１８】
商品収容庫１４１，１４２，１４３は、飲料缶やペットボトル等の商品を所望の温度に維持した状態で収容するためもので、それぞれの上方部に、商品を収納するコラム状の商品収納ラック１６が配設してある。商品収納ラック１６の下方には、商品シュータ１３が配設してある。なお、図示する自動販売機において、図１の左側に配置する商品収容庫１４１には１列の商品収納ラック１６が配設してあり、中央に配置する商品収容庫１４２には１列の商品収納ラック１６が配設してあり、右側に配置する商品収容庫１４３には２列の商品収納ラック１６が配設してある。
【００１９】
商品収容庫１４１，１４２，１４３のそれぞれの内部奥方には、図２に示すように側面視で略Ｌ字状に折り曲げられたダクト形成板１７が設けてある。ダクト形成板１７は、商品収容庫１４１の内部において、商品収容庫１４１，１４２，１４３共通の背板１４５と商品収容庫１４１の側板１４６と断熱部材１４４とで背面ダクト１７１を形成している。また、ダクト形成板１７は、商品収容庫１４１，１４２，１４３共通の底板１４７とで底面ダクト１７２を形成している。背面ダクト１７１と底面ダクト１７２との間には、底面ダクト１７２よりも横断面積の大きなバイパスダクト１７３が形成してある。同様に、商品収容庫１４２，１４３においても、ダクト形成板１７により、背面ダクト１７１、底面ダクト１７２およびバイパスダクト１７３がそれぞれ形成してある。
【００２０】
背面ダクト１７１およびバイパスダクト１７３の内部であって各商品収容庫１４１，１４２，１４３の底板１４７には、図２および図３に示すようにそれぞれ矩形の吸込口（開口部）１８が形成してある。さらに、吸込口１８の前側で、底面ダクト１７２の内部である商品収容庫１４１，１４２，１４３の底板１４７には、それぞれ矩形の吐出口（開口部）１９が形成してある。
【００２１】
図２に示すように吸込口１８は、機械室１５に至る吸込通路（通路）１８ａの開口として形成してある。また、吐出口１９は、機械室１５に至る吐出通路（通路）１９ａの開口として形成してある。
【００２２】
内扉１１およびメインドア１２は、それぞれ本体キャビネット１０の一側縁部に支承させてある。
【００２３】
内扉１１は、本体キャビネット１０に設けた商品収容庫１４１，１４２，１４３の前面開口を覆うに十分な大きさを有したもので、鋼材によって構成してある。
【００２４】
メインドア１２は、本体キャビネット１０の前面開口を覆うに十分な大きさを有したもので、鋼材により堅牢に構成してある。
【００２５】
図１、図２および図４に示すように、自動販売機は、スターリング冷凍機２０と、冷却ユニット３０と、放熱ユニット４０と、冷温運転切換ユニット５０とを備えている。
【００２６】
スターリング冷凍機２０は、本体キャビネット１０の機械室１５に横置きに載置してあり、稼動することにより冷熱を発生する冷熱発生部２１と高熱を発生する高熱発生部２２とを備えている。
【００２７】
冷却ユニット３０は、機械室１５の内部に配置してある。この冷却ユニット３０は、スターリング冷凍機２０の冷熱発生部２１からの冷熱を、後述する冷却容器（容器）５３まで移送して、当該冷却容器５３の内部の空気（内部雰囲気）を冷却するためのものである。
【００２８】
このような冷却ユニット３０は、熱移送手段として、凝縮熱交換器３２、蒸発熱交換器（冷却器）３３、液体供給管３４および気体供給管３５を備えている。これら凝縮熱交換器３２の内部、蒸発熱交換器３３の内部、液体供給管３４の内部および気体供給管３５の内部には、冷媒を封入してある。冷媒は、常温では気体であり、かつスターリング冷凍機２０の冷熱発生部２１の冷熱で液体である二酸化炭素等の不凍冷媒を用いてある。
【００２９】
凝縮熱交換器３２は、スターリング冷凍機２０の冷熱発生部２１に接続してある。凝縮熱交換器３２では、冷熱発生部２１で発生した冷熱によって気体であった冷媒が液化して凝縮液となる。
【００３０】
蒸発熱交換器３３は、冷却容器５３の内部に収容してあり、かつ凝縮熱交換器３２よりも相対的に低い位置に配置してある。蒸発熱交換器３３では、当該蒸発熱交換器３３の内部を通過する冷媒が冷却容器５３の内部の空気から得た熱によって気化する。換言すると、蒸発熱交換器３３の周辺領域である冷却容器５３の内部の空気は、蒸発熱交換器３３の内部を通過する冷媒が気化することによって冷却される。
【００３１】
液体供給管３４は、管状部材から成り、凝縮熱交換器３２の内部と蒸発熱交換器３３の内部とを接続するものである。一方、気体供給管３５は、管状部材から成り、液体供給管３４とは別に、凝縮熱交換器３２の内部と蒸発熱交換器３３の内部とを接続するものである。液体供給管３４および気体供給管３５は、気体供給管３５が液体供給管３４の上方となるよう配置してある。このような配置は、気体供給管３５を通る冷媒の密度が、液体供給管３４を通る冷媒の密度よりも小さいためである。そして、凝縮熱交換器３２で凝縮した冷媒は、凝縮熱交換器３２から蒸発熱交換器３３まで液体供給管３４の内部を移動する。また、蒸発熱交換器３３で蒸発した冷媒は、蒸発熱交換器３３から凝縮熱交換器３２まで気体供給管３５の内部を移動する。
【００３２】
このように構成してある冷却ユニット３０の作用を説明する。凝縮熱交換器３２の内部の冷媒は、スターリング冷凍機２０の冷熱発生部２１で発生した低温によって冷却されて液化する。液化した冷媒は、液体供給管３４を通じて蒸発熱交換器３３へ移動する。蒸発熱交換器３３の内部へ移動した冷媒は、冷却容器５３の内部の空気が有する熱によって気化する。このとき、冷却容器５３の内部の空気は、冷媒によって熱が奪われて冷却される。気化した冷媒は、気体供給管３５を通じて凝縮熱交換器３２へ移動する。凝縮熱交換器３２へ移動した冷媒は、冷熱発生部２１の低温によって再び冷却されて液化する。このようなサイクルを繰り返すことで、冷却容器５３の内部の空気が冷却される。
【００３３】
放熱ユニット４０は、機械室１５の内部に配置してある。この放熱ユニット４０は、スターリング冷凍機２０の高熱発生部２２において発生した高熱を、本体キャビネット１０の外部に放出するためのものである。放熱ユニット４０は、熱移送手段として、第一熱交換器４１、第二熱交換器４２、第一冷媒供給管４３および第二冷媒供給管４４を備えているとともに、庫外送風ファン４５を備えている。第一熱交換器４１の内部、第二熱交換器４２の内部、第一冷媒供給管４３の内部および第二冷媒供給管４４の内部には、冷媒を封入してある。冷媒には、例えば水を用いてある。
【００３４】
第一熱交換器４１は、スターリング冷凍機２０の高熱発生部２２に接続してある。第一熱交換器４１は、内部の冷媒に、高熱発生部２２で発生した高熱を受熱させるものである。
【００３５】
第二熱交換器４２は、スターリング冷凍機２０から一定の距離だけ離れた位置に配置してある。第二熱交換器４２は、内部の冷媒を放熱させるものである。このような第二熱交換器４２の周囲には、庫外送風ファン４５を配置してある。庫外送風ファン４５は、第二熱交換器４２の周囲の空気を本体キャビネット１０の外部に放出するためのものである。
【００３６】
第一冷媒供給管４３は、管状部材から成り、第一熱交換器４１の内部と第二熱交換器４２の内部とを接続するものである。一方、第二冷媒供給管４４は、管状部材から成り、第一冷媒供給管４３とは別に、第一熱交換器４１の内部と第二熱交換器４２の内部とを接続するものである。なお、図には明示していないが、第二冷媒供給管４４には循環ポンプを設けてあり、その循環ポンプを稼動することで、第一熱交換器４１の内部、第一冷媒供給管４３の内部、第二熱交換器４２の内部および第二冷媒供給管４４の内部を冷媒が循環する。
【００３７】
このように構成してある放熱ユニット４０の作用を説明する。第一熱交換器４１の内部の冷媒は、スターリング冷凍機２０の高熱発生部２２で発生した高温が受熱されて加温される。加温された冷媒は、循環ポンプの作用で、第一冷媒供給管４３を通じて第二熱交換器４２へ移動する。第二熱交換器４２の内部へ移動した冷媒は、当該第二熱交換器４２によって放熱されることで冷却される。このとき、第二熱交換器４２の周囲の空気は、放熱されることによって熱が加えられて加温される。加温された空気は、庫外送風ファン４５によって本体キャビネット１０の外部に放出される。第二熱交換器４２で冷却された冷媒は、第二冷媒供給管４４を通じて第一熱交換器４１へ移動する。第一熱交換器４１へ移動した冷媒は、高熱発生部２２の高温によって再び加温される。このようなサイクルを繰り返すことで、高熱発生部２２で発生する高熱を本体キャビネット１０の外部に放出する。
【００３８】
冷温運転切換ユニット５０は、図２に示すように庫内送風ファン（送風ファン）５１と、庫内ヒータ５２と、冷却容器５３と、シャッタ機構（開閉装置）５４とを備えている。
【００３９】
庫内送風ファン５１は、商品収容庫１４１，１４２，１４３の内部で、商品シュータ１３の下方であって底面ダクト１７２の前側に配置してある。庫内送風ファン５１は、商品収容庫１４１，１４２，１４３の内部の空気を循環させるためのものである。
【００４０】
庫内ヒータ５２は、商品収容庫１４１，１４２，１４３の内部の空気を加温するためのものであって、加温した空気を商品収容庫１４１，１４２，１４３の内部に循環できるよう庫内送風ファン５１の近傍に配置してある。
【００４１】
冷却容器５３は、断熱材で構成した箱体であって、図１および図２に示すように機械室１５の内部背側であって、商品収容庫１４１，１４２，１４３の共通の底板１４７の下側で各商品収容庫１４１，１４２，１４３に跨って配置してある。冷却容器５３の内部には、冷却ユニット３０における蒸発熱交換器３３が収容してある。そして冷却容器５３の内部は、蒸発熱交換器３３の吸込側と吐出側とを仕切るよう断熱仕切板５３１を設けることで、吸込側に第一室５３２を構成し、吐出側に第二室５３３を構成してある。そして、第一室５３２は、吸込通路１８ａを通して商品収容庫１４１，１４２，１４３に連通し、背面ダクト１７１およびバイパスダクト１７３に接続してある。第二室５３３は、吐出通路１９ａを通して商品収容庫１４１，１４２，１４３に連通し、底面ダクト１７２に接続してある。
【００４２】
シャッタ機構５４は、図２に示すように、商品収容庫１４１，１４２，１４３の底板１４７の上面となる壁面１４７ａに配置してあり、シャッタ（開閉部材）５４１と、移動手段５４２とを有している。
【００４３】
シャッタ５４１は、図５に示すように側面視で略Ｌ字状を成すように第一板状部材５４１１と第二板状部材５４１２とを備えて形成してある。第一板状部材５４１１は、板状に形成してあり、商品収容庫１４１，１４２，１４３の底板１４７と平行になるよう配置してある。第二板状部材５４１２は、第一板状部材５４１１の背側から上方に延在する板状に形成してあり、商品収容庫１４１，１４２，１４３の背板１４５と平行になるように設けてある。
【００４４】
第一板状部材５４１１には、貫通孔５４１３が形成してある。貫通孔５４１３は、上述した吐出口１９と大きさが同一である矩形に形成してある。また、第一板状部材５４１１において、貫通孔５４１３よりも前側となる部分（板体）は、吐出口１９を覆う大きさに形成してある。さらに、第一板状部材５４１１において、貫通孔５４１３よりも後側となる部分（板体）は、吸込口１８と吐出口１９との配置間隔に同一の長さに形成してあり、かつ、吸込口１８を覆う大きさに形成してある。また、第一板状部材５４１１の下面は、商品収容庫１４１，１４２，１４３の底板１４７の上面（壁面）１４７ａに当接し吸込口１８および吐出口１９を覆って閉塞する閉塞面５４１４を成している。一方、第二板状部材５４１２は、底面ダクト１７２の横断面積よりも大きく、底面ダクト１７２とバイパスダクト１７３との間を閉塞し得る大きさに形成してある。
【００４５】
移動手段５４２は、上記シャッタ５４１を前側から後側に、あるいは後側から前側に移動させるためのものであり、図５および図６に示すように支持シャフト５４２１と、ガイドレール５４２２とを有している。支持シャフト５４２１は、シャッタ５４１の第一板状部材５４１１の側部から側方に延在して設けてある。さらに詳述すると、支持シャフト５４２１は、第一板状部材５４１１の前側にて同軸上で左右一対設けてあり、第一板状部材５４１１の後側にて同軸上で左右一対設けてある。ガイドレール５４２２は、各支持シャフト５４２１に対応してそれぞれ設けてあり、当該支持シャフト５４２１を挿通する溝を有している。この溝は、図７に示すようにシャッタ５４１の移動方向（前側・後側方向）に向けて延在して設けてあり、一端部（前側端部）および他端部（後側端部）が商品収容庫１４１，１４２，１４３の底板１４７の上面（壁面）１４７ａに向けて傾斜した傾斜部５４２２ａを成し、中間部が商品収容庫１４１，１４２，１４３の底板１４７の上面（壁面）１４７ａから離反しつつ当該上面（壁面）１４７ａに沿う離反部５４２２ｂを成している。なお、図には明示しないが、移動手段５４２は、シャッタ５４１を前側と後側とに移動させるための駆動手段を有している。駆動手段は、例えばモータの駆動をシャッタ５４１の移動方向に伝達するものがある。
【００４６】
図５および図６では、シャッタ５４１が前側に移動した状態を示す。シャッタ５４１が前側に移動した状態では、貫通孔５４１３が吐出口１９に合致して当該吐出口１９を開放させるとともに、第一板状部材５４１１の後側となる部分が吸込口１８の上から退いて当該吸込口１８を開放させている。さらに、シャッタ５４１が前側に移動した状態では、第二板状部材５４１２が、背面ダクト１７１と底面ダクト１７２との間を遮断させている。また、シャッタ５４１が前側に移動した状態において、支持シャフト５４２１は、ガイドレール５４２２の一端部（前側端部）の傾斜部５４２２ａに位置している。
【００４７】
上述した図５および図６に示す状態において、商品収容庫１４１，１４２，１４３の内部の空気（内部雰囲気）は、図８に示すように、庫内送風ファン５１によって背面ダクト１７１、吸込通路１８ａ、第一室５３２、蒸発熱交換器３３、第二室５３３、吐出通路１９ａ、底面ダクト１７２を通過し、商品収容庫１４１，１４２，１４３の内部に戻る循環経路を循環する。より詳細に説明すると、商品収容庫１４１，１４２，１４３の内部の空気は、庫内送風ファン５１の作用により、吸込通路１８ａから第一室５３２に進入し、第二室５３３に至る途中で蒸発熱交換器３３によって冷却される。冷却された空気は、吐出通路１９ａおよび底面ダクト１７２を通じて商品収容庫１４１，１４２，１４３まで移動する。つまり、冷却された空気は、商品収納ラック１６に収納された商品群を通過する態様で移動する。このように冷却された空気が商品群を通過する態様で移動することにより、冷却された空気と商品との間で熱交換が行われ、該商品が冷却されることになる。
【００４８】
図５および図６に示す状態からシャッタ５４１を後側に移動させる場合には、ガイドレール５４２２の一端部にある傾斜部５４２２ａの傾斜によって支持シャフト５４２１が上方に持ち上がる。よって、支持シャフト５４２１を有するシャッタ５４１の閉塞面５４１４が商品収容庫１４１，１４２，１４３の底板１４７の上面（壁面）１４７ａに向き合った状態で離反する。同時に、傾斜部５４２２ａによって支持シャフト５４２１が後側に移動する。このように、シャッタ５４１は、底板１４７の上面（壁面）１４７ａからの閉塞面５４１４の離反に連れて上面（壁面）１４７ａに沿って後側に移動する。その後、図９に示すように支持シャフト５４２１がガイドレール５４２２の中間部の離反部５４２２ｂに移動する。これにより、シャッタ５４１は、閉塞面５４１４が商品収容庫１４１，１４２，１４３の底板１４７の上面（壁面）１４７ａから離反した状態で上面（壁面）１４７ａに沿って後側に移動する。さらに、シャッタ５４１の移動に伴って支持シャフト５４２１がガイドレール５４２２の他端部にある傾斜部５４２２ａに至る。この傾斜部５４２２ａにおいて支持シャフト５４２１が下方に下がる。よって、図１０および図１１に示すように支持シャフト５４２１を有するシャッタ５４１の閉塞面５４１４が商品収容庫１４１，１４２，１４３の底板１４７の上面（壁面）１４７ａに向き合った状態で当接する。同時に、支持シャフト５４２１がガイドレール５４２２の他端部（後側端部）の傾斜部５４２２ａに至りシャッタ５４１の移動を止める。このように、シャッタ５４１は、閉塞面５４１４の上面（壁面）１４７ａへの当接に連れて後側への移動が止まる。
【００４９】
図１０および図１１に示すようにシャッタ５４１が後側に移動した状態では、第一板状部材５４１１の前側となる部分が吐出口１９を覆って閉塞させるとともに、第一板状部材５４１１の後側となる部分が吸込口１８を覆って閉塞させている。さらに、シャッタ５４１が後側に移動した状態では、第二板状部材５４１２が、背面ダクト１７１と底面ダクト１７２との間を開放させている。
【００５０】
上述した図１０および図１１に示す状態において、例えば商品収容庫１４１，１４２，１４３の内部の空気（内部雰囲気）は、図１２に示すように、庫内送風ファン５１によって背面ダクト１７１、バイパスダクト１７３、底面ダクト１７２を通過し、商品収容庫１４１，１４２，１４３の内部のみで循環する循環経路を循環する。より詳細に説明すると、商品収容庫１４１，１４２，１４３の内部の空気は、庫内送風ファン５１の作用により、商品収容庫１４１，１４２，１４３の内部を循環する途中で庫内ヒータ５２によって加温される。つまり、加温された空気は、商品収納ラック１６に収納された商品群を通過する態様で移動する。このように加温された空気が商品群を通過する態様で移動することにより、加温された空気と商品との間で熱交換が行われ、該商品が加温されることになる。
【００５１】
また、上述した図５および図６に示す状態や、図１０および図１１に示す状態にすることは、商品収容庫１４１，１４２，１４３のそれぞれにおいて行うことが可能である。例えば商品収容庫１４１のみを図１０および図１１に示す状態にし、他の商品収容庫１４２，１４３を図５および図６に示す状態にした場合には、商品収容庫１４１に収容した商品が加温され、他の商品収容庫１４２，１４３に収容した商品が冷却されることになる。
【００５２】
また、図１０および図１１に示す状態からシャッタ５４１を前側に移動させる場合には、ガイドレール５４２２の他端部にある傾斜部５４２２ａの傾斜によって支持シャフト５４２１が上方に持ち上がる。よって、支持シャフト５４２１を有するシャッタ５４１の閉塞面５４１４が商品収容庫１４１，１４２，１４３の底板１４７の上面（壁面）１４７ａに向き合った状態で離反する。同時に、傾斜部５４２２ａによって支持シャフト５４２１が前側に移動する。このように、シャッタ５４１は、底板１４７の上面（壁面）１４７ａからの閉塞面５４１４の離反に連れて上面（壁面）１４７ａに沿って前側に移動する。その後、図９に示すように支持シャフト５４２１がガイドレール５４２２の中間部の離反部５４２２ｂに移動する。これにより、シャッタ５４１は、閉塞面５４１４が商品収容庫１４１，１４２，１４３の底板１４７の上面（壁面）１４７ａから離反した状態で上面（壁面）１４７ａに沿って前側に移動する。さらに、シャッタ５４１の移動に伴って支持シャフト５４２１がガイドレール５４２２の一端部にある傾斜部５４２２ａに至る。この傾斜部５４２２ａにおいて支持シャフト５４２１が下方に下がる。よって、図５および図６に示すように支持シャフト５４２１を有するシャッタ５４１の閉塞面５４１４が商品収容庫１４１，１４２，１４３の底板１４７の上面（壁面）１４７ａに向き合った状態で当接する。同時に、支持シャフト５４２１がガイドレール５４２２の一端部（正面側端部）の傾斜部５４２２ａに至りシャッタ５４１の移動を止める。このように、シャッタ５４１は、閉塞面５４１４の底板１４７の上面（壁面）１４７ａへの当接に連れて前側への移動が止まる。
【００５３】
上述した自動販売機では、シャッタ機構５４のシャッタ５４１によって吸込通路１８ａの吸込口１８および吐出通路１９ａの吐出口１９を開放した状態で庫内送風ファン５１を駆動することにより、冷却容器５３で冷却された内部雰囲気を商品収容庫１４１，１４２，１４３の内部に循環させる一方、シャッタ機構５４のシャッタ５４１によって吸込通路１８ａの吸込口１８および吐出通路１９ａの吐出口１９を閉塞した状態で庫内送風ファン５１を駆動することにより、庫内ヒータ５２によって加温された商品収容庫１４１，１４２，１４３の内部雰囲気のみを循環させる。
【００５４】
この自動販売機において、シャッタ機構（開閉装置）５４は、上述したように商品収容庫１４１，１４２，１４３の内部に連通する吸込通路（通路）１８ａの吸込口（開口部）１８および吐出通路（通路）１９ａの吐出口（開口部）１９が、商品収容庫１４１，１４２，１４３の底板１４７の上面（壁面）１４７ａに形成してあり、吸込口１８および吐出口１９を覆って閉塞する閉塞面５４１４が形成されたシャッタ（開閉部材）５４１を有している。そして、移動手段５４２によって、閉塞面５４１４を底板１４７の上面（壁面）１４７ａに向き合わせた状態で、吸込口１８および吐出口１９を覆う位置から上面（壁面）１４７ａに対して所定間隔離反する位置に至るまでシャッタ５４１を移動させる一方、閉塞面５４１４を上面（壁面）１４７ａに向き合わせた状態で、上面（壁面）１４７ａに対して所定間隔離反した位置から吸込口１８および吐出口１９を覆う位置に至るまでシャッタ５４１を移動させる。このため、吸込口１８および吐出口１９を開閉する際に、シャッタ５４１の縁と吸込口１８および吐出口１９の縁とが衝突することがない。さらに、閉塞面５４１４を底板１４７の上面（壁面）１４７ａに向き合わせた状態で、上面（壁面）１４７ａに対して所定間隔離反させる移動であるため、商品収容庫１４１，１４２，１４３の内部でのシャッタ５４１の移動領域を抑えることが可能になる。この結果、シャッタ５４１の移動領域が商品収容庫１４１，１４２，１４３の内部の領域を占有する事態を防ぎ、かつ、吸込口１８および吐出口１９の開閉の際にシャッタ５４１の縁や吸込口１８および吐出口１９の縁の破損を防ぐことができる。
【００５５】
なお、上述した実施の形態１において、庫内ヒータ５２を、商品収容庫１４１，１４２，１４３の少なくとも１つに設けておき、庫内ヒータ５２を設けた商品収容庫を冷却および加温兼用とし、庫内ヒータ５２を設けていない商品収容庫を冷却専用として用いてもよい。この場合、上記シャッタ機構５４は、庫内ヒータ５２を設けた商品収容庫のみに配置してあればよい。
【００５６】
ところで、上述した実施の形態１において、図１３に示すようにシャッタ５４１の閉塞面５４１４に、吸込通路１８ａの吸込口１８および吐出通路１９ａの吐出口１９の内縁に沿って嵌合する嵌合突起５４３を設けてもよい。この嵌合突起５４３は、吸込口１８および吐出口１９に嵌合することで、吸込口１８および吐出口１９を閉塞した気密性を保持するため、冷却している内部雰囲気と、加温している背部雰囲気とが互いに漏れる事態をさらに防ぐ。なお、嵌合突起５４３を設けた場合には、移動手段５４２におけるガイドレール５４２２の一端部（前側端部）に傾斜部５４２２ａを設けず、離反部５４２２ｂから連続するように形成する。このようにガイドレール５４２２の形状を変更することで、吸込口１８および吐出口１９を開放するようにシャッタ５４１を移動させた場合に、嵌合突起５４３を底板１４７の上面（壁面）１４７ａから離反させて、嵌合突起５４３と上面（壁面）１４７ａとが接触する事態を防ぐ。
【００５７】
また、上述した実施の形態１において、図１４に示すように吸込通路１８ａの吸込口１８および吐出通路１９ａの吐出口１９の開口縁周りを囲む気密部材５４４を設けてもよい。気密部材５４４は、気密部材５４４は、ゴムリングなど気密性を有する弾性体を用いることが好ましく、図１４に示すように吸込口１８および吐出口１９の開口縁周りに取り付けてある。あるいは、気密部材５４４は、図には明示しないがシャッタ５４１の閉塞面５４１４に設けてあってもよい。この気密部材５４４は、底板１４７の上面（壁面）１４７ａに当接する閉塞面５４１４によって押圧されることで、吸込口１８および吐出口１９の閉塞状態の気密性を保持するため、冷却している内部雰囲気と、加温している背部雰囲気とが互いに漏れる事態をさらに防ぐ。なお、気密部材５４４を設けた場合には、移動手段５４２におけるガイドレール５４２２の他端部（後側端部）に傾斜部５４２２ａの先端に連続するように、上面（壁面）１４７ａに沿う支持部５４２２ｃを形成する。このようにガイドレール５４２２の形状を変更することで、この気密部材５４４を押圧した状態でのシャッタ５４１の位置を維持できる。
【００５８】
また、上述した実施の形態１において、図１５に示すようにシャッタ５４１における第一板状部材５４１１の上面であって閉塞面５４１４に相反する面に、押圧手段としての凹部５４５を設けてもよい。この凹部５４５は、シャッタ５４１によって吸込口１８および吐出口１９を閉塞した状態において、商品収容庫１４１，１４２，１４３の内部を循環する空気の気流により、図１５に矢印で示すように吸込口１８および吐出口１９を閉塞した閉塞面５４１４が底板１４７の上面（壁面）１４７ａに向けて押圧される押圧力を生じる。この結果、吸込口１８および吐出口１９を閉塞した気密性を保持するため、冷却している内部雰囲気と、加温している背部雰囲気とが互いに漏れる事態をさらに防ぐ。
【００５９】
また、押圧手段の変形例として、図１６に示すようにシャッタ５４１における第一板状部材５４１１の上面であって閉塞面５４１４に相反する面に、押圧手段としての凸部５４６を設けてもよい。この凸部５４６は、シャッタ５４１によって吸込口１８および吐出口１９を閉塞した状態において、商品収容庫１４１，１４２，１４３の内部を循環する空気の気流により、図１５に矢印で示すように吸込口１８および吐出口１９を閉塞した閉塞面５４１４が底板１４７の上面（壁面）１４７ａに向けて押圧される押圧力を生じる斜面５４６ａを有している。この結果、吸込口１８および吐出口１９を閉塞した気密性を保持するため、冷却している内部雰囲気と、加温している背部雰囲気とが互いに漏れる事態をさらに防ぐ。なお、押圧手段は、シャッタ５４１によって吸込口１８および吐出口１９を閉塞した状態において、商品収容庫１４１，１４２，１４３の内部を循環する空気により、閉塞面５４１４が底板１４７の上面（壁面）１４７ａに向けて押圧される押圧力を生じる構成であればよく、図１５に示す凹部５４５や、図１６に示す凸部５４６に限らない。
【００６０】
なお、上述した図１３に示す嵌合突起５４３と、図１４に示す気密部材５４４と、図１５に示す凹部５４５または図１６に示す凸部５４６とは、共に設けてもよい。
【００６１】
また、上述した実施の形態１では、支持シャフト５４２１とガイドレール５４２２とで構成した移動手段５４２について説明したがこの限りではない。例えば、図１７に示すようにリンク機構からなる移動手段５４７を設けてもよい。この移動手段５４７は、支持軸５４７１と、固定軸５４７２と、連結部材５４７３とを有している。支持軸５４７１は、シャッタ５４１の第一板状部材５４１１の側部から側方に延在して設けてある。さらに詳述すると、支持軸５４７１は、第一板状部材５４１１の前側にて同軸上で左右一対設けてあり、第一板状部材５４１１の後側にて同軸上で左右一対設けてある。固定軸５４７２は、底板１４７側に固定してあって、各支持軸５４７１に対応して対を成し、支持軸５４７１と平行に設けてある。連結部材５４７３は、長手状に形成した各端部を、対を成す支持軸５４７１と固定軸５４７２とに支承することで、支持軸５４７１と固定軸５４７２とを相互に連結するものである。つまり、移動手段５４７は、支持軸５４７１と、固定軸５４７２と、連結部材５４７３とによって平行リンクを構成している。
【００６２】
この移動手段５４７によれば、上述した移動手段５４２と同様に、そして、移動手段５４７によって、閉塞面５４１４を底板１４７の上面（壁面）１４７ａに向き合わせた状態で、吸込口（開口部）１８および吐出口（開口部）１９を覆う位置から上面（壁面）１４７ａに対して所定間隔離反する位置に至るまでシャッタ（開閉部材）５４１を移動させる一方、閉塞面５４１４を底板１４７の上面（壁面）１４７ａに向き合わせた状態で、上面（壁面）１４７ａに対して所定間隔離反した位置から吸込口１８および吐出口１９を覆う位置に至るまでシャッタ５４１を移動させる。このため、吸込口１８および吐出口１９を開閉する際に、シャッタ５４１の縁と吸込口１８および吐出口１９の縁とが衝突することがない。さらに、閉塞面５４１４を上面（壁面）１４７ａに向き合わせた状態で、上面（壁面）１４７ａに対して所定間隔離反させる移動であるため、商品収容庫１４１，１４２，１４３の内部でのシャッタ５４１の移動領域を抑えることが可能になる。この結果、シャッタ５４１の移動領域が商品収容庫１４１，１４２，１４３の内部の領域を占有する事態を防ぎ、かつ、吸込口１８および吐出口１９の開閉の際にシャッタ５４１の縁や吸込口１８および吐出口１９の縁の破損を防ぐことができる。
【００６３】
なお、リンク機構は、上記移動手段５４７の平行リンクに限らず、閉塞面５４１４を底板１４７の上面（壁面）１４７ａに向き合わせた状態で、吸込口１８および吐出口１９を覆う位置から上面（壁面）１４７ａに対して所定間隔離反する位置に至るまでシャッタ（開閉部材）５４１を移動させる一方、閉塞面５４１４を上面（壁面）１４７ａに向き合わせた状態で、上面（壁面）１４７ａに対して所定間隔離反した位置から吸込口１８および吐出口１９を覆う位置に至るまでシャッタ５４１を移動させる構成であればよい。
【００６４】
（実施の形態２）
図１８は本発明に係る自動販売機の実施の形態２である自動販売機の外扉と内扉とを開放した状態を示す正面図、図１９は図１８に示した自動販売機のC−C断面図、図２０は図１８に示した自動販売機のD−D断面図である。
【００６５】
本発明の実施の形態２である自動販売機は、本発明の実施の形態１である自動販売機と同様に、缶入り飲料、ペットボトル入り飲料、あるいはビン入り飲料等の商品を冷やした状態で販売したり、温めた状態で販売したりするものである。
【００６６】
図１８〜図１９に示すように、本実施の形態２である自動販売機は、本体キャビネット２０１を備えている。本体キャビネット２０１は、複数の鋼材を適宜組み合わせることにより構成したもので、前面が開口した箱状を呈している。
【００６７】
本体キャビネット２０１の左側縁部には内扉（図示せず）と外扉２０２とが支承してある。この外扉２０２の前面には、缶入り飲料やペットボトル入り飲料等の商品の見本を展示する商品展示室（図示せず）、商品を選択するための選択ボタン（図示せず）、貨幣を投入するための貨幣投入口（図示せず）、払い出された商品を取り出すための商品取出口（図示せず）等、商品の販売に必要となる構成が配置してある。内扉は、断熱材によって構成したもので、本体キャビネット２０１の前面開口を開閉すべく外扉２０２と本体キャビネット２０１との間に配設してある。
【００６８】
本体キャビネット２０１の内部は、仕切板２０３（床板）によって商品収容室２０４と機械室２０５とに画成されている。商品収容室２０４は本体キャビネット２０１の内部上方に画成され、機械室２０５は本体キャビネット２０１の内部下方に画成されている。
【００６９】
図１８に示すように、商品収容室２０４は、さらに二つの断熱仕切板２４０によって三つの商品収容庫２０４ａ，２０４ｂ，２０４ｃに画成されている。これら三つの商品収容庫２０４ａ，２０４ｂ，２０４ｃは、本体キャビネット２０１の幅方向に並設されている。以下の説明において、正面向かって左側となる商品収容庫２０４ａを「左庫２０４ａ」、中央となる商品収容庫２０４ｂを「中庫２０４ｂ」、右側となる商品収容庫２０４ｃを「右庫２０４ｃ」と称する。
【００７０】
本実施の形態２である自動販売機の左庫２０４ａと中庫２０４ｂは、商品を冷やすこともできれば、商品を温めることもできる冷却加温兼用庫であって、右庫２０４ｃは商品を冷やすことしかできない冷却専用庫となっている。
【００７１】
また、本実施の形態２である自動販売機では、図１８に示すように、右庫２０４ｃの幅（容積）が最も大きく、左庫２０４ａの幅（容積）が右庫２０４ｃの幅につづき、中庫２０４ｂの幅（容積）が最も小さくなるように画成してある。このため、左庫２０４ａと右庫２０４ｃとには、本体キャビネット２０１の幅方向に二列の商品収納ラック２０６が収容され、中庫２０４ｂには、本体キャビネット２０１の幅方向に一列の商品収納ラック２０６が収容されている。なお、右庫２０４ｃに収容した商品収納ラック２０６と左庫２０４ａに収容した商品収納ラック２０６とでは、商品収納ラック２０６の幅が異なるが、これは右庫２０４ｃに収容した商品収納ラック２０６に通常の容量よりも大容量となるペットボトル入り飲料等の商品の収納を可能とするためである。
【００７２】
また、図１９及び図２０に示すように、左庫２０４ａ、中庫２０４ｂ、右庫２０４ｃには、奥行き方向に五列の商品収納通路を画成するように商品収納ラック２０６が収容されている。したがって、左庫２０４ａと右庫２０４ｃとにはそれぞれ１０種類ずつ商品を収納することができ、中庫２０４ｂには５種類の商品を収納することができる。すなわち、本実施の形態２である自動販売機は、２５種類の商品が収納でき、これらを要求に応じて販売することができる。
【００７３】
商品収納ラック２０６は、蛇行した商品収納通路が内部に画成されたいわゆるサーペンタインラックと称されるものであって、商品収納ラック２０６の下方部には商品収納ラック２０６から一つずつ商品を搬出するベンドメックと称される商品搬出装置（図示せず）を備えている。
【００７４】
図１８及び図１９に示すように、各商品収容庫２０４ａ，２０４ｂ，２０４ｃの内部であって、商品収納ラック２０６の奥方となる部位には、それぞれ背面ダクト２４１が取り付けてある。背面ダクト２４１は、商品収納ラック２０６に収納された商品の間を通過した空気を吸い込んで循環させるためのもので、商品収容庫２０４ａ，２０４ｂ，２０４ｃの中程となる位置に吸込口（図示せず）が形成してあり、商品収容庫２０４ａ，２０４ｂ，２０４ｃの下部となる位置に吐出口２４１ａが形成してある（図２１及び図２２参照）。
【００７５】
また、図２１及び図２２に示すように、各商品収容庫２０４ａ，２０４ｂ，２０４ｃの下部奥方には、庫内風胴２４２ａ，２４２ｂ，２４２ｃが取り付けてある。庫内風胴２４２ａ，２４２ｂ，２４２ｃは、奥面と底面とが開口した箱形形状を呈しており、庫内風胴２４２ａ，２４２ｂ，２４２ｃの奥面が背面ダクト２４１の吐出口２４１ａと接続され、庫内風胴２４２ａ，２４２ｂ，２４２ｃの底面が仕切板２０３（床板）に接続されている。したがって、背面ダクト２４１の吸込口（図示せず）から吸い込まれた空気は背面ダクト２４１の吐出口２４１ａを経由して庫内風胴２４２ａ，２４２ｂ，２４２ｃに導かれるようになっている。
【００７６】
図２１及び図２２に示すように、商品収容庫２０４ａ，２０４ｂ，２０４ｃのうち、左庫２０４ａ及び中庫２０４ｂの仕切板２０３（床板）には、奥方から前方に向けて順番に暖気吸込口２４３ａ，（２４３ｂ）、冷気吸込口２４４ａ，２４４ｂ、冷気吐出口２４５ａ，２４５ｂ、暖気吐出口２４６ａ，（２４６ｂ）が開口している。暖気吸込口２４３ａ，（２４３ｂ）及び冷気吸込口２４４ａ，２４４ｂは庫内風胴２４２ａ，２４２ｂの底面となる部位に開口しており、背面ダクト２４１の吸込口（図示せず）から吸い込まれた空気は、背面ダクト２４１の吐出口２４１ａ、庫内風胴２４２ａ，２４２ｂを経由して暖気吸込口２４３ａ，（２４３ｂ）あるいは冷気吸込口２４４ａ，２４４ｂから吸い込まれるようになっている。一方、冷気吐出口２４５ａ，２４５ｂ、暖気吐出口２４６ａ，（２４６ｂ）は、庫内風胴２４２ａ，２４２ｂの底面となる部位よりも前方となる部位に開口しており、冷気吐出口２４５ａ，２４５ｂあるいは暖気吐出口２４６ａ，（２４６ｂ）から吐出した空気は庫内風胴２４２ａ，２４２ｂに直接流入することなく左庫２０４ａあるいは中庫２０４ｂの庫内に供給されるようになっている。
【００７７】
商品収容庫２０４ａ，２０４ｂ，２０４ｃのうち、右庫２０４ｃの仕切板２０３（床板）には、中程奥方に冷気吸込口２４４ｃが開口する一方、中程前方に冷気吐出口２４５ｃが開口している。冷気吸込口２４４ｃは、左庫２０４ａ及び中庫２０４ｂと同様に、庫内風胴２４２ｃの底面となる部位に開口しており、背面ダクト２４１の吸込口（図示せず）から吸い込まれた空気は、背面ダクト２４１の吐出口２４１ａ、庫内風胴２４２ｃを経由して冷気吸込口２４４ｃから吸い込まれるようになっている。一方、冷気吐出口２４５ｃは、庫内風胴２４２ｃの底面となる部位よりも前方となる部位に開口しており、冷気吐出口２４５ｃから吐出した空気は庫内風胴２４２ｃに直接流入することなく右庫２０４ｃの庫内に供給されるようになっている。
【００７８】
図１９及び図２０に示すように、各商品収容庫２０４ａ，２０４ｂ，２０４ｃの内部であって、商品収容ラック２０６の下方となる部位には、商品搬出シュータ２４７がそれぞれ取り付けてある。商品搬出シュータ２４７は、商品収納ラック２０６から搬出された商品を商品収容庫２０４ａ，２０４ｂ，２０４ｃの奥方から前方に搬送するためのもので、奥方から前方に向けて漸次低くなるように傾斜する態様で取り付けてある。
【００７９】
商品搬出シュータ２４７の下面には、それぞれ庫内ファン２４８が取り付けてある。庫内ファン２４８は冷気吐出口２４５ａ，２４５ｂ，２４５ｃあるいは暖気吐出口２４６ａ，２４６ｂから空気を吐出させ、商品収納ラック２０６に収納された商品に空気（冷気あるいは暖気）を供給するためのものである。各商品収容庫２０４ａ，２０４ｂ，２０４ｃに取り付けた庫内ファン２４８は、商品収容庫２０４ａ，２０４ｂ，２０４ｃの庫内に配設した温度センサ（図示せず）に基づいて、オン・オフ制御することによって商品収容庫２０４ａ，２０４ｂ，２０４ｃの温度制御を行うようになっている。
【００８０】
図１９及び図２２に示すように、機械室２０５の上部、すなわち仕切板２０３の下面には断熱材によって四つの連絡通路２０５ａ，２０５ｂ，２０５ｃ，２０５ｄ（ダクト）が画成してある。連絡通路（ダクト）は商品収容庫２０４ａ，２０４ｂ，２０４ｃの並設方向に延在し、機械室２０５の奥方から前方に向けて順番に暖気吸込ダクト２０５ａ、冷気吸込ダクト２０５ｂ、冷気吐出ダクト２０５ｃ、暖気吐出ダクト２０５ｄを構成する。
【００８１】
暖気吸込ダクト２０５ａは、一方が商品収容庫２０４ａ，２０４ｂに開口するとともに他方が後述する加熱熱交換器２８３を収容した加熱室２８１に開口するものである。具体的には、暖気吸込ダクト２０５ａの一方（吸込側）が各商品収容庫（左庫２０４ａ、中庫２０４ｂ）の暖気吸込口２４３ａ，（２４３ｂ）に開口する一方、暖気吸込ダクト２０５ａの他方（吐出側）が加熱熱交換器２８３を収容した加熱室２８１に開口するようになっている。
【００８２】
冷気吸込ダクト２０５ｂは、一方が商品収容庫２０４ａ，２０４ｂ，２０４ｃに開口するとともに他方が後述する冷却熱交換器２９７を収容した冷却室２９１に開口するものである。具体的には、冷気吸込ダクト２０５ｂの一方（吸込側）が各商品収容庫（左庫２０４ａ、中庫２０４ｂ、右庫２０４ｃ）の冷気吸込口２４４ａ，２４４ｂ，２４４ｃに開口する一方、冷気吸込ダクト２０５ｂの他方（吐出側）が冷却熱交換器２９７を収容した冷却室２９１に開口するようになっている。
【００８３】
冷気吐出ダクト２０５ｃは、一方が冷却室２９１に開口するとともに他方が商品収容庫２０４ａ，２０４ｂ，２０４ｃに開口するものである。具体的には、冷気吐出ダクト２０５ｃの一方（吸込側）が冷却室２９１に開口する一方、冷気吐出ダクト２０５ｃの他方（吐出側）が各商品収容庫（左庫２０４ａ、中庫２０４ｂ、右庫２０４ｃ）の冷気吐出口２４５ａ，２４５ｂ，２４５ｃに開口するようになっている。
【００８４】
暖気吐出ダクト２０５ｄは、一方が加熱室２８１に開口するととともに他方が商品収容庫２０４ａ，２０４ｂに開口するものである。具体的には、暖気吐出ダクト２０５ｄの一方（吸込側）が加熱室２８１に開口する一方、暖気吐出ダクト２０５ｄの他方（吐出側）が各商品収容庫（左庫２０４ａ、中庫２０４ｂ）の暖気吐出口２４６ａ，２４６ｂに開口するようになっている。
【００８５】
機械室２０５には熱交換ユニット２０７が着脱可能に取り付けてある。熱交換ユニット２０７は、図２３に示すように、加熱部２０８と冷却部２０９とを有している。加熱部２０８は、熱交換ユニット２０７の正面向かって左側に位置し、断熱材によって画成された箱状の加熱室２８１を有している。
【００８６】
図２３に示すように、加熱室２８１は、上面が開口しており、暖気吸込ダクト２０５ａの吐出側と暖気吐出ダクト２０５ｄの吸込側とが開口している。したがって、暖気吸込口２４３ａ，２４３ｂが開放されている商品収容庫から加熱室２８１に空気が供給され、その後、加熱室２８１から暖気吐出口２４６ａ，２４６ｂが開放されている商品収容庫に空気が供給されることになる。
【００８７】
図２４に示すように、加熱室２８１には、圧縮機２８２、加熱熱交換器２８３が収容してある。圧縮機２８２は、冷媒を圧縮して高温高圧の状態にするものであって、例えば、二回に分けて圧縮作用を行う二段式圧縮機が採用されている。二段式圧縮機は、第一圧縮機２８２ａと第二圧縮機２８２ｂとから構成され、第一圧縮機２８２ａと第二圧縮機２８２ｂとの間に中間熱交換器２８４（第一凝縮器）が介在するようになっている。
【００８８】
中間熱交換器２８４は、冷媒を凝縮させることにより、中間熱交換器２８４の周囲から凝縮熱を放熱し、中間熱交換器２８４の周囲の空気を加熱するように構成されている。中間熱交換器２８４は、例えば、アルミ製の板状体であるアルミフィンを銅製のチューブが貫通したいわゆるフィンアンドチューブタイプの凝縮器で構成される。
【００８９】
圧縮機２８２（第二圧縮機２８２ｂ）には、加熱熱交換器２８３が接続されている。加熱熱交換器２８３は、冷媒を凝縮させることにより、加熱熱交換器２８３の凝縮熱を放熱し、加熱熱交換器２８３の周囲の空気を加熱するように構成されている。なお、本実施の形態２のように冷媒に二酸化炭素（ＣＯ2冷媒）を用いた場合には、液化することなく超臨界状態となることもある。加熱熱交換器２８３は、例えば、アルミ製の板状体であるアルミフィンを銅製のチューブが貫通したいわゆるフィンアンドチューブタイプの凝縮器で構成される。
【００９０】
加熱熱交換器２８３には、ガスクーラ２８５（第二凝縮器）が接続されている。ガスクーラ２８５は、加熱熱交換器２８３と同様に、冷媒を凝縮させることにより、ガスクーラ２８５の周囲に凝縮熱を放熱するように構成されている。ガスクーラ２８５は、例えば、アルミ製の板状体であるアルミフィンを銅製のチューブが貫通したいわゆるフィンアンドチューブタイプの凝縮器で構成される。
【００９１】
なお、加熱熱交換器２８３のほかに、圧縮機２８２を加熱室２８１に収容するのは、加熱熱交換器２８３において放熱される熱のほかに、圧縮機２８２において発生する熱を回収するためである。
【００９２】
また、加熱室２８１には、さらに、加熱ファン２８６、ヒータ２８７が収容してある。加熱ファン２８６は、圧縮機２８２と加熱熱交換器２８３との間に配設してあり、圧縮機２８２から加熱熱交換器２８３に向けて空気を流すようになっている。ヒータ２８７は、加熱熱交換器２８３の手前となる位置に配設してある。ヒータ２８７は、加熱ファン２８６を可動させた場合に、加熱熱交換器２８３の下流側に位置することになり、加熱室２８１から暖気吐出口２４６ａ，２４６ｂが開放されている商品収容庫にヒータ２８７で温められた空気が供給されることになる。
【００９３】
冷却部２０９は、熱交換ユニット２０７の正面向かって右側に位置し、上面が開口した箱状の冷却室２９１と、冷却室２９１の下方に配設された蒸発皿２９２とを有している。
【００９４】
図２３に示すように、冷却室２９１は、断熱材により画成されており、冷気吸込ダクト２０５ｂの吐出側と冷気吐出ダクト２０５ｃの吸込側とが開口している。したがって、冷気吸込口２４４ａ，２４４ｂ，２４４ｃが開放されている商品収容庫から冷却室２９１に空気が供給され、その後、冷却室２９１から冷気吐出口２４５ａ，２４５ｂ，２４５ｃが開放されている商品収容庫に空気が供給されることになる。
【００９５】
さらに、図２０に示すように、底壁の中央部分には前方及び後方から中央に向けて漸次低くなる態様で水受皿２９３が形成してある。水受皿２９３の最も低くなる部分には、ドレーン２９３ａが設けてあり、水受皿２９３に溜まったドレーン水は、ドレーン２９３ａを介して蒸発皿２９２に滴下するようになっている。
【００９６】
図２４に示すように、冷却室２９１には、内部熱交換器２９４、電子膨張弁２９５、電磁弁２９６、冷却熱交換器２９７が収容してある。これら内部熱交換器２９４、電子膨張弁２９５、電磁弁２９６、冷却熱交換器２９７は、加熱室２８１に収容した圧縮機２８２、加熱熱交換器２８３のほか、中間熱交換器２８４、ガスクーラ２８５とともに冷凍サイクルを構成する。本実施の形態２では、このように構成した冷凍サイクルを循環する冷媒として、不燃性、安全性、耐腐食性を有し、さらに、オゾン層への影響が少ない二酸化炭素（ＣＯ2冷媒）を用いている。
【００９７】
内部熱交換器２９４は、ガスクーラ２８５から電子膨張弁２９５に流れる高温の冷媒と冷却熱交換器２９７から圧縮機２８２に流れる低温の冷媒との間で熱交換を行うものであって、高温の冷媒が流れる冷媒管路２９４ａの周りに低温の冷媒が流れる冷媒管路２９４ｂが重なるように配設してある。すなわち、内部熱交換器２９４の内部において、ガスクーラ２８５から電子膨張弁２９５に冷媒が流れる冷媒管路２９４ａと、冷却熱交換器２９７から圧縮機２８２に冷媒が流れる冷媒管路２９４ｂとが互いに熱交換可能な距離で非接触向流する態様で配設されている。
【００９８】
電子膨張弁２９５は、冷媒管路を介して内部熱交換器２９４に接続され、ガスクーラ２８５において放熱された冷媒を断熱膨張させるものであって、断熱膨張された冷媒は減圧され低温低圧となる。
【００９９】
電磁弁２９６は、冷媒管路を介して電子膨張弁２９５に接続され、開成状態において冷媒を冷却熱交換器２９７に吐出させる一方、閉成状態において冷媒を遮断させるようになっている。
【０１００】
冷却熱交換器２９７は、冷媒管路を介して電磁弁２９６に接続され、低温低圧の状態に断熱膨張された冷媒を蒸発させることにより、冷却熱交換器２９７の周囲から蒸発熱を吸熱し、冷却熱交換器２９７の周囲の空気を冷却するものである。冷却熱交換器２９７は、例えば、アルミ製の板状体であるアルミフィンを銅製のチューブが貫通したいわゆるフィンアンドチューブタイプの蒸発器で構成してある。
【０１０１】
なお、図２０に示すように、冷却室２９１において、内部熱交換器２９４と冷却熱交換器２９７との間には、遮風部材２９１ａが配設してある。遮風部材２９１ａは冷却熱交換器２９７の周囲から内部熱交換器２９４の周囲への空気の流入を抑制するためのもので、遮風部材２９１ａの下方において、冷却室２９１の内部は連通している。
【０１０２】
蒸発皿２９２は、滴下したドレーン水を溜めるとともにドレーン水の蒸発を促進させるためのもので、図２０に示すように、蒸発皿２９２には不織布を折り畳んだ蒸発シート２９８が配設してある。また、蒸発皿２９２の後方となる部位には蒸発促進ファン２９９が設けてある。蒸発促進ファン２９９は、毛細管現象によって蒸発シート２９８に吸い上げられたドレーン水の蒸発を促進することができるようになっている。
【０１０３】
上述した熱交換ユニットによれば、圧縮機２８２と中間熱交換器２８４とにおいて冷媒が圧縮されて高温高圧の状態となる。具体的には、第一圧縮機２８２ａにおける一回目（最初）の圧縮作用により圧縮された冷媒は、中間熱交換器２８４において冷却された後に、第二圧縮機２８２ｂに供給される。したがって、第一圧縮機２８２ａから第二圧縮機２８２ｂの間、すなわち、中間熱交換器２８４において冷媒が冷却されるので、低消費電力で冷媒は所望の高温高圧の状態に圧縮される。
【０１０４】
圧縮機２８２と中間熱交換器２８４とにおいて圧縮されて高温高圧の状態となった冷媒は、加熱熱交換器２８３に吐出され、加熱熱交換器２８３において放熱し、加熱熱交換器２８３の周囲の空気を加熱する。
【０１０５】
加熱熱交換器２８３において放熱された冷媒は、ガスクーラ２８５に吐出され、ガスクーラ２８５において更に放熱（排熱）する。ガスクーラ２８５で放熱された冷媒は、内部熱交換器２９４を経由して電子膨張弁２９５に吐出される。内部熱交換器２９４ではガスクーラ２８５から電子膨張弁２９５に吐出する高圧の冷媒と冷却熱交換器２９７から圧縮機２８２に吐出する低圧の冷媒との間で熱交換が行われる。
【０１０６】
電子膨張弁２９５に吐出された冷媒は、減圧されて断熱膨張し、低温低圧の状態となる。低温低圧の状態の冷媒は、開成状態にある電磁弁２９６を経由して冷却熱交換器２９７に吐出することになる。
【０１０７】
電子膨張弁２９５において低温低圧の状態となった冷媒は、冷却熱交換器２９７において蒸発されて気化する。このとき、冷却熱交換器２９７の周囲から吸熱し、冷却熱交換器２９７の周囲の空気を冷却する。
【０１０８】
このように構成された熱交換ユニット２０７には、左右一対となるポップアップハンドル（図示せず）が設けてある。ポップアップハンドルは、機械室２０５に収容した熱交換ユニット２０７をポップアップ（上昇）させるためのもので、ポップアップハンドルを互いに反対方向（左側のポップアップハンドルは反時計回り、右側のポップアップハンドルが時計回り）となるように回動させた場合に、熱交換ユニット２０７がポップアップ（上昇）するようになっている。
【０１０９】
このように構成された熱交換ユニット２０７は、機械室２０５に収容された後、ポップアップハンドルが互いに反対方向（左側のポップアップハンドルは反時計回り、右側のポップアップハンドルが時計回り）となるように回動させることにより、熱交換ユニット２０７をポップアップ（上昇）させると、暖気吸込ダクト２０５ａの他方（吐出側）と暖気吐出ダクト２０５ｄの一方（吸込側）が加熱室２８１に開口するとともに、冷気吸込ダクト２０５ｂの他方（吐出側）と冷気吐出ダクト２０５ｃの一方（吸込側）が冷却室２９１に開口する。なお、暖気吸込ダクト２０５ａ及び暖気吐出ダクト２０５ｄと加熱室２８１の上面開口との間、冷気吸込ダクト２０５ｂ及び冷気吐出ダクト２０５ｃと冷却室２９１の開口とは密着し、熱交換ユニット２０７と暖気吸込ダクト２０５ａ、冷気吸込ダクト２０５ｂ、冷気吐出ダクト２０５ｃ、暖気吐出ダクト２０５ｄとの間で空気が漏れることはない。
【０１１０】
左庫２０４ａ及び中庫２０４ｂには、それぞれシャッタ装置３００が配設してある。シャッタ装置３００は、左庫２０４ａ及び中庫２０４ｂを画成する仕切板（床板）２０３の上面に配設してあり、左右一対となる側板３１０、吸込口閉塞シャッタ２４３ａ１，２４３ｂ１、吐出口閉塞シャッタ２４６ａ１，２４６ｂ１を有している。
【０１１１】
各側板３１０には、吸込口閉塞シャッタ２４３ａ１，２４３ｂ１をガイドするガイド溝３１１と吐出口閉塞シャッタ２４６ａ１，２４６ｂ１をガイドするガイド溝３１２とが形成してある。
【０１１２】
吸込口閉塞シャッタ２４３ａ１，２４３ｂ１をガイドするガイド溝３１１は、暖気吸込口２４３ａ，２４３ｂを閉塞する暖気吸込口閉塞位置と冷気吸込口２４４ａ，２４４ｂを閉塞する冷気吸込口閉塞位置との間において吸込口閉塞シャッタ２４３ａ１，２４３ｂ１をガイドする溝である。このガイド溝３１１は、暖気吸込口閉塞位置において吸込口閉塞シャッタ２４３ａ１，２４３ｂ１が暖気吸込口２４３ａ，２４３ｂの縁部に密着することにより暖気吸込口２４３ａ，２４３ｂを閉塞する一方、冷気吸込口閉塞位置において吸込口閉塞シャッタ２４３ａ１，２４３ｂ１が冷気吸込口２４４ａ，２４４ｂの縁部に密着することにより冷気吸込口２４４ａ，２４４ｂを閉塞するように形成してある。更に、このガイド溝３１１は、暖気吸込口閉塞位置と冷気吸込口閉塞位置との間において吸込口閉塞シャッタ２４３ａ１，２４３ｂ１が仕切板２０３（床板）の上面から離反するようになっている。
【０１１３】
具体的に説明すると、ガイド溝３１１は、暖気吸込口閉塞位置近傍から暖気吸込口閉塞位置に至る経路において吸込口閉塞シャッタ２４３ａ１，２４３ｂ１が暖気吸込口２４３ａ，２４３ｂを徐々に閉塞するように後方斜め下方に延在しており、冷気吸込口閉塞位置近傍から冷気吸込口閉塞位置に至る経路において吸込口閉塞シャッタ２４３ａ１，２４３ｂ１が冷気吸込口２４４ａ，２４４ｂを徐々に閉塞するように前方斜め下方に延在している。また、ガイド溝３１１は、暖気吸込口閉塞位置近傍から冷気吸込口近傍に至る経路において吸込口閉塞シャッタ２４３ａ１，２４３ｂ１が仕切板２０３（床板）の上面から離反した状態を維持するために、側板３１０の下縁と平行となるように形成してある。
【０１１４】
吐出口閉塞シャッタ２４６ａ１，２４６ｂ１をガイドするガイド溝３１２は、暖気吐出口２４６ａ，２４６ｂを閉塞する暖気吐出口閉塞位置と冷気吐出口２４５ａ，２４５ｂを閉塞する冷気吐出口閉塞位置との間において吐出口閉塞シャッタ２４６ａ１，２４６ｂ１をガイドする溝である。このガイド溝３１２は、暖気吐出口閉塞位置において吐出口閉塞シャッタ２４６ａ１，２４６ｂ１が暖気吐出口２４６ａ，２４６ｂの縁部に密着することにより暖気吐出口２４６ａ，２４６ｂを閉塞する一方、冷気吐出口閉塞位置において吐出口閉塞シャッタ２４６ａ１，２４６ｂ１が冷気吐出口２４５ａ，２４５ｂの縁部に密着することにより冷気吐出口２４５ａ，２４５ｂを閉塞するように形成してある。更に、このガイド溝３１２は、暖気吐出口閉塞位置と冷気吐出口閉塞位置との間において吐出口閉塞シャッタ２４６ａ１，２４６ｂ１が仕切板２０３（床板）の上面から離反するようになっている。
【０１１５】
具体的に説明すると、ガイド溝３１２は、暖気吐出口閉塞位置近傍から暖気吐出口閉塞位置に至る経路において吐出口閉塞シャッタ２４６ａ１，２４６ｂ１が暖気吐出口２４６ａを徐々に閉塞するように前方斜め下方に延在しており、冷気吐出口閉塞位置近傍から冷気吐出口閉塞位置に至る経路において吐出口閉塞シャッタ２４６ａ１，２４６ｂ１が冷気吐出口２４５ａ，２４５ｂを徐々に閉塞するように後方斜め下方に延在している。また、ガイド溝３１２は、暖気吐出口閉塞位置近傍から冷気吐出口近傍に至る経路において吐出口閉塞シャッタ２４６ａ１，２４６ｂ１が仕切板２０３（床板）の上面から離反した状態を維持するために、側板３１０の下縁と平行となるように形成してある。
【０１１６】
吸込口閉塞シャッタ２４３ａ１，２４３ｂ１は、暖気吸込口２４３ａ，２４３ｂと冷気吸込口２４４ａ，２４４ｂを閉塞するのに十分な面積を有するもので、シャッタ本体３２０と断熱材３２１とから構成してある。シャッタ本体３２０の両側部は下方に延在するように折り曲げてあり、この両側部の間に断熱材３２１を嵌め込んである。
【０１１７】
また、シャッタ本体の側方にはガイド軸３２２が突設してあり、このガイド軸３２２は側板３１０に形成したガイド溝３１１にガイドされ、吸込口閉塞シャッタ２４３ａ１，２４３ｂ１は、暖気吸込口閉塞位置において暖気吸込口２４３ａ，２４３ｂを閉塞する一方、冷気吸込口閉塞位置において冷気吸込口２４４ａ，２４４ｂを閉塞するようになっている。
【０１１８】
また、シャッタ本体３２０には、プッシャ３２３と左右一対となるヒンジ３２４とが取り付けてある。プッシャ３２３は、シャッタ本体３２０の上面に取り付けた取付金具であり、中央部がシャッタ本体３２０から離隔するように折り曲げて形成してある。そして、この中央部には、円柱状のガイドピン３２５が立設してある。ヒンジ３２４は、シャッタ本体３２０の上面に立設した板状体であり、一方のヒンジ３２４と他方のヒンジ３２４とには、支持ピン３２６が挿通した状態で固定してある。
【０１１９】
吐出口閉塞シャッタ２４６ａ１，２４６ｂ１は、吸込口閉塞シャッタ２４３ａ１，２４３ｂ１と同様に、冷気吐出口２４５ａ，２４５ｂと暖気吐出口２４６ａ，２４６ｂを閉塞するのに十分な面積を有するもので、吸込口閉塞シャッタ２４３ａ１，２４３ｂ１と同様に、シャッタ本体３２０と断熱材３２１とから構成してある。
【０１２０】
そして、吐出口閉塞シャッタ２４６ａ１，２４６ｂ１のシャッタ本体３２０の側方に突設したガイド軸３２２は、側板３１０に形成したガイド溝３１２にガイドされ、吐出口閉塞シャッタ２４６ａ１，２４６ｂ１は、冷気吐出口閉塞位置において冷気吸込口２４５ａ，２４５ｂを閉塞する一方、暖気吐出口閉塞位置において暖気吐出口２４６ａ，２４６ｂを閉塞するようになっている。
【０１２１】
また、シャッタ装置３００は、吸込口閉塞シャッタ作動ナピアネジ３３０、吐出口閉塞シャッタ作動ナピアネジ３５０を有している。
【０１２２】
吸込口閉塞シャッタ作動ナピアネジ３３０は、吸込口閉塞シャッタ２４３ａ１，２４３ｂ１を閉塞させるためのもので、一端がサポート３３１に回転自在に支承してあり、他端がカップリング３３２（軸継手）を介して吐出口閉塞シャッタ作動ナピアネジ３５０に連結してある。吸込口閉塞シャッタ作動ナピアネジ３３０は、往復運動用螺旋溝３３０ａが形成された円筒溝カム（トラバースカム）であって、吸込口閉塞シャッタ作動ナピアネジ３３０には、吸込口閉塞シャッタホルダ３４０に形成された送りナット３４１が螺合している。
【０１２３】
吸込口閉塞シャッタホルダ３４０は、吸込口閉塞シャッタ作動ナピアネジ３３０の回転により、暖気吸込口閉塞位置から冷気吸込口閉塞位置に吸込口閉塞シャッタ２４３ａ１，２４３ｂ１を移動させる一方、冷気吸込口閉塞位置から暖気吸込口閉塞位置に吸込口閉塞シャッタ２４３ａ１，２４３ｂ１を移動させるためのもので、送りナット３４１、ガイドピン支承部３４２、支持ピンガイド溝３４３が形成してある。
【０１２４】
送りナット３４１は、上述したように、吸込口閉塞シャッタ作動ナピアネジ３３０と螺合するもので、吸込口閉塞シャッタホルダ３４０（送りナット３４１）を回転させることなく、吸込口閉塞シャッタ作動ナピアネジ３３０を一方向に回転させると、吸込口閉塞シャッタホルダ３４０は一方向（例えば、暖気吸込口閉塞位置から冷気吸込口閉塞位置）に進み、往復運動用螺旋溝３３０ａの終端において一方向から他方向（例えば、冷気吸込口閉塞位置から暖気吸込口閉塞位置）に向きを変えて進むようになっている。
【０１２５】
ガイドピン支承部３４２と支持ピンガイド溝３４３とは、シャッタ本体３２０を昇降可能な状態で支承するためのものである。ガイドピン支承部３４２は、シャッタ本体３２０のプッシャ３２３に取り付けガイドピン３２５が挿入可能となるように、円筒形状を有している。また、ガイドピン支承部３４２とガイドピン３２５との間には、圧縮コイルバネ３４４が介装してあり、シャッタ本体３２０を下方に付勢している。支持ピンガイド溝３４３は、シャッタ本体３２０のヒンジ３２４に固定した支持ピンが昇降可能となるように、上下方向に延在する態様で形成してある。
【０１２６】
吐出口閉塞シャッタ作動ナピアネジ３５０は、吐出口閉塞シャッタ２４６ａ１，２４６ｂ１を閉塞させるためのもので、一端がサポート３５１に回転自在に支承してあり、他端が上述したようにカップリング３３２（軸継手）を介して吸込口閉塞シャッタ作動ナピアネジ３３０に連結してある。吐出口閉塞シャッタ作動ナピアネジ３５０は、往復運動用螺旋溝３５０ａが形成された円筒溝カム（トラバースカム）であって、吐出口閉塞シャッタ作動ナピアネジ３５０には、吐出口閉塞シャッタホルダ３６０に形成された送りナット３４１が螺合している。
【０１２７】
吐出口閉塞シャッタホルダ３６０は、吐出口閉塞シャッタ作動ナピアネジ３５０の回転により、暖気吐出口閉塞位置から冷気吐出口閉塞位置に吐出口閉塞シャッタ２４６ａ１，２４６ｂ１を移動させる一方、冷気吐出口閉塞位置から暖気吐出口閉塞位置に吐出口閉塞シャッタ２４６ａ１，２４６ｂ１を移動させるためのもので、吸込口閉塞シャッタホルダ３４０と同様に、送りナット３４１、ガイドピン支承部３４２、支持ピンガイド溝３４３が形成してある。
【０１２８】
送りナット３４１は、上述したように、吐出口閉塞シャッタ作動ナピアネジ３５０と螺合するもので、吐出口閉塞シャッタホルダ３６０（送りナット３４１）を回転させることなく、吐出口閉塞シャッタ作動ナピアネジ３５０を一方向に回転させると、吐出口閉塞シャッタホルダ３６０は一方向（例えば、暖気吐出口閉塞位置から冷気吐出口閉塞位置）に進み、往復運動用螺旋溝３５０ａの終端において一方向から他方向（例えば、冷気吐出口閉塞位置から暖気吐出口閉塞位置）に向きを変えて進むようになっている。
【０１２９】
また、吸込口閉塞シャッタ作動ナピアネジ３３０には、従動ギア３７１が固着してある。従動ギア３７１は、ギアヘッド３７２の出力軸に固着した駆動ギア３７３と噛合し、ギアヘッド３７２に取り付けたモータ３７４を駆動すると、ギアヘッド３７２、駆動ギア３７３、従動ギア３７１、吸込口閉塞シャッタ作動ナピアネジ３３０に動力が伝達され、さらにカップリング３３２を介して吐出口閉塞シャッタ作動ナピアネジ３５０に動力が伝達されるようになっている。
【０１３０】
左庫２０４ａに配設したシャッタ装置３００は、吸込口閉塞シャッタ２４３ａ１により暖気吸込口２４３ａと冷気吸込口２４４ａとを択一的に閉塞するようになっており、吐出口閉塞シャッタ２４６ａ１により冷気吐出口２４５ａと暖気吐出口２４６ａとを択一的に閉塞するようになっている。さらに、吸込口閉塞シャッタ２４３ａ１と吐出口閉塞シャッタ２４６ａ１とは連係しており、吸込口閉塞シャッタ２４３ａ１が暖気吸込口２４３ａを閉塞した場合には吐出口閉塞シャッタ２４６ａ１が暖気吐出口２４６ａを閉塞し、吸込口閉塞シャッタ２４３ａ１が冷気吸込口２４４ａを閉塞した場合には吐出口閉塞シャッタ２４６ａ１が冷気吐出口２４５ａを閉塞するようになっている。
【０１３１】
同様に、中庫２０４ｂに配設したシャッタ装置３００は、吸込口閉塞シャッタ２４３ｂ１により暖気吸込口２４３ｂと冷気吸込口２４４ｂとを択一的に閉塞するようになっており、吐出口閉塞シャッタ２４６ｂ１により冷気吐出口２４５ｂと暖気吐出口２４６ｂとを択一的に閉塞するようになっている。さらに、吸込口閉塞シャッタ２４３ｂ１と吐出口閉塞シャッタ２４６ｂ１とは連係しており、吸込口閉塞シャッタ２４３ｂ１が暖気吸込口２４３ｂを閉塞した場合には吐出口閉塞シャッタ２４６ｂ１が暖気吐出口２４６ａを閉塞し、吸込口閉塞シャッタ２４３ｂ１が冷気吸込口２４４ｂを閉塞した場合には吐出口閉塞シャッタ２４６ｂ１が冷気吐出口２４５ｂを閉塞するようになっている。
【０１３２】
なお、右庫２０４ｃは冷却専用庫であるので、冷気吸込口２４４ｃ、冷気吐出口２４５ｃを閉塞する必要がなく、冷気吸込口２４４ｃ、冷気吐出口２４５ｃを常時開放しておくので、右庫２０４ｃにシャッタ装置を配設してない。
【０１３３】
上述した本実施の形態２である自動販売機において、商品収容庫（左庫２０４ａあるいは中庫２０４ｂ）を冷却庫とする場合には、図２９に示すように、暖気吸込口２４３ａ，２４３ｂを吸込口閉塞シャッタ２４３ａ１，２４３ｂ１で閉塞するとともに暖気吐出口２４６ａ，２４６ｂを吐出口閉塞シャッタ２４６ａ１，２４６ｂ１で閉塞すればよい。ここで、図３１に示すように、冷気吸込口２４４ａ，２４４ｂが吸込口閉塞シャッタ２４３ａ１，２４３ｂ１で閉塞されるとともに冷気吐出口２４５ａ，２４５ｂが吐出口閉塞シャッタ２４６ａ１，２４６ｂ１で閉塞されている場合には、図３０に示すように、モータ３７４を稼働することにより、吸込口閉塞シャッタ２４３ａ１，２４３ｂ１を冷気吸込口閉塞位置から暖気吸込口閉塞位置に移動させるとともに、吐出口閉塞シャッタ２４６ａ１，２４６ｂ１を冷気吐出口閉塞位置から暖気吐出口閉塞位置に移動させればよい。
【０１３４】
一方、商品収容庫（左庫２０４ａあるいは中庫２０４ｂ）を加温庫とする場合には、図３１に示すように、冷気吸込口２４４ａ，２４４ｂを吸込口閉塞シャッタ２４３ａ１，２４３ｂ１で閉塞するとともに冷気吐出口２４５ａ，２４５ｂを吐出口閉塞シャッタ２４６ａ１，２４６ｂ１で閉塞すればよい。ここで、図２９に示すように、暖気吸込口２４３ａ，２４３ｂが吸込口閉塞シャッタ２４３ａ１，２４３ｂ１で閉塞されるとともに暖気吐出口２４６ａ，２４６ｂが吐出口閉塞シャッタ２４６ａ１，２４６ｂ１で閉塞されている場合には、図３０に示すように、モータ３７４を稼働することにより、吸込口閉塞シャッタ２４３ａ１，２４３ｂ１を暖気吸込口閉塞位置から冷気吸込口閉塞位置に移動させるとともに、吐出口閉塞シャッタ２４６ａ１，２４６ｂ１を暖気吐出口閉塞位置から冷気吐出口閉塞位置に移動させればよい。
【０１３５】
図３２に示すように、上述した本発明の実施の形態２である自動販売機において、全ての商品収容庫２０４ａ，２０４ｂ，２０４ｃにおいて商品を冷やす場合、すなわち、左庫２０４ａ、中庫２０４ｂ、右庫２０４ｃにおいて商品を冷やす場合には（このように自動販売機を設定した状態を「ＣＣＣモード」という）、左庫２０４ａ及び中庫２０４ｂの暖気吸込口２４３ａ，２４３ｂと暖気吐出口２４６ａ，２４６ｂを閉塞するとともに、左庫２０４ａ及び中庫２０４ｂの冷気吸込口２４４ａ，２４４ｂと冷気吐出口２４５ａ，２４５ｂを開放する。
【０１３６】
そして、商品収容庫の各庫（左庫２０４ａ、中庫２０４ｂ、右庫２０４ｃ）に配設した温度センサ（図示せず）が設定温度（例えば、５°Ｃ）となるまで、庫内ファン２４８をオンにする。すると、庫内ファン２４８がオンとなった商品収容庫に冷却室２９１で冷やされた空気が循環することになり、左庫２０４ａ、中庫２０４ｂ、右庫２０４ｃの全てにおいて商品が冷やされることになる。そして、時間の経過とともに庫内温度が下降し、庫内ファン２４８をオフすると時間の経過とともに庫内温度が上昇する。これを繰り返すことにより、庫内の温度が設定温度に保たれる。なお、最初に中庫２０４ｂの庫内温度が設定温度に到達し、次いで、左庫２０４ａと右庫２０４ｃの庫内温度が設定温度に到達する。このため、中庫２０４ｂの庫内ファン２４８がオフになった後に、左庫２０４ａの庫内ファン２４８と右庫２０４ｃの庫内ファン２４８とがオフになる。
【０１３７】
一方、左庫２０４ａにおいて商品を温め、中庫２０４ｂ及び右庫２０４ｃにおいて商品を冷やす場合には（このように自動販売機を設定した状態を「ＨＣＣモード」という）、左庫２０４ａの冷気吸込口２４４ａと冷気吐出口２４５ａとを閉塞する一方、左庫２０４ａの暖気吸込口２４３ａと暖気吐出口２４６ａを開放するとともに、中庫２０４ｂの暖気吸込口２４３ｂと暖気吐出口２４６ｂとを閉塞する一方、中庫２０４ｂの冷気吸込口２４４ｂと冷気吐出口２４５ｂを開放する。
【０１３８】
そして、商品収容庫の各庫（左庫２０４ａ、中庫２０４ｂ、右庫２０４ｃ）に配設した温度センサ（図示せず）が設定温度（例えば、左庫が５５°Ｃ、中庫及び右庫が５°Ｃ）となるまで、庫内ファン２４８をオンにする。すると、庫内ファン２４８がオンとなった左庫２０４ａに加熱室２８１で温められた空気が循環することになり、左庫２０４ａにおいて商品が温められることになる。一方、庫内ファン２４８がオンとなった中庫２０４ｂ及び右庫２０４ｃに冷却室２９１で冷やされた空気が循環することになり、中庫２０４ｂ及び右庫２０４ｃにおいて商品が冷やされることになる。そして、時間の経過とともに左庫２０４ａは庫内温度が上昇し、中庫２０４ｂ及び右庫２０４ｃは庫内温度が下降する。庫内ファン２４８をオフにすると左庫２０４ａの庫内温度は下降し、中庫２０４ｂ及び右庫２０４ｃの庫内温度は上昇する。これを繰り返すことにより、庫内の温度が設定温度に保たれる。なお、最初に右庫２０４ｃの庫内温度が設定温度に到達し、左庫２０４ａ、中庫２０４ｂの順に庫内温度が設定温度に到達する。このため、右庫２０４ｃの庫内ファン２４８、左庫２０４ａの庫内ファン２４８の順にオフになった後、中庫２０４ｂの庫内ファン２４８がオフになる。
【０１３９】
なお、自動販売機をＨＣＣモードで稼働する場合には、加熱室２８１における加熱と冷却室２９１における冷却を同時に開始し、その後、加熱室２８１における加熱を中断する一方、冷却室２９１における冷却を継続するように制御する。
【０１４０】
他方、左庫２０４ａ及び中庫２０４ｂにおいて商品を温め、右庫２０４ｃにおいて商品を冷やす場合には（このように自動販売機を設定した状態を「ＨＨＣモード」という）、左庫２０４ａ及び中庫２０４ｂの冷気吸込口２４４ａ，２４４ｂと冷気吐出口２４５ａ，２４５ｂとを閉塞する一方、左庫２０４ａ及び中庫２０４ｂの暖気吸込口２４３ａ，２４３ｂと暖気吐出口２４６ａ，２４６ｂを開放する。
【０１４１】
そして、商品収容庫（左庫２０４ａ、中庫２０４ｂ、右庫２０４ｃ）に配設した温度センサ（図示せず）が設定温度（例えば、左庫及び中庫が５５°Ｃ、右庫が５°Ｃ）となるまで庫内ファン２４８をオンにする。すると、庫内ファン２４８がオンとなった左庫２０４ａ及び中庫２０４ｂに加熱室２８１で温められた空気が循環することになり、左庫２０４ａ及び中庫２０４ｂにおいて商品が温められることになる。一方、庫内ファン２４８がオンとなった右庫２０４ｃに冷却室２９１で冷やされた空気が循環することになり、右庫２０４ｃにおいて商品が冷やされることになる。そして、時間の経過とともに左庫２０４ａ及び中庫２０４ｂは庫内温度が上昇し、右庫２０４ｃは庫内温度が下降する。庫内ファン２４８をオフにすると左庫２０４ａ及び中庫２０４ｂの庫内温度は下降し、右庫２０４ｃの庫内温度は上昇する。これを繰り返すことにより、庫内の温度が設定温度に保たれる。なお、最初に中庫２０４ｂと右庫２０４ｃの庫内温度が設定温度に到達し、次いで、左庫２０４ａの庫内温度が設定温度に到達する。このため、中庫２０４ｂの庫内ファン２４８と右庫２０４ｃの庫内ファン２４８とがオフになった後に、中庫２０４ｂの庫内ファン２４８がオフになる。
【０１４２】
なお、自動販売機をＨＨＣモードで稼働する場合には、加熱室２８１における加熱と冷却室２９１における冷却を同時に開始し、その後、冷却室２９１における冷却を中断する一方、加熱室２８１における加熱を継続するように制御する（加熱単独稼働となる）。このとき、圧縮機２８２を停止させる一方、ヒータ２８７を稼働する。したがって、冷却室２９１において余剰に蒸発熱を吸熱することがなく、冷やされた空気を自動販売機の外部に排出する必要はない。
【０１４３】
また、中庫２０４ｂにおいて商品を温め、左庫２０４ａ及び右庫２０４ｃにおいて商品を冷やす場合には（このように自動販売機を設定した状態を「ＣＨＣモード」という）、左庫２０４ａの暖気吸込口２４３ａと暖気吐出口２４６ａとを閉塞する一方、左庫２０４ａの冷気吸込口２４４ａと冷気吐出口２４５ａを開放するとともに、中庫２０４ｂの冷気吸込口２４４ｂと冷気吐出口２４５ｂとを閉塞する一方、中庫２０４ｂの暖気吸込口２４３ｂと暖気吐出口２４６ｂを開放する。
【０１４４】
そして、商品収容庫（左庫２０４ａ、中庫２０４ｂ、右庫２０４ｃ）に配設した温度センサ（図示せず）が設定温度（例えば、中庫が５５°Ｃ、左庫及び右庫が５°Ｃ）となるまで庫内ファン２４８をオンにする。すると、庫内ファン２４８がオンとなった中庫２０４ｂに加熱室２８１で温められた空気が循環することになり、中庫２０４ｂにおいて商品が温められることになる。一方、庫内ファン２４８がオンとなった左庫２０４ａ及び右庫２０４ｃに冷却室２９１で冷やされた空気が循環することになり、左庫２０４ａ及び右庫２０４ｃにおいて商品が冷やされることになる。そして、時間の経過とともに中庫２０４ｂは庫内温度が上昇し、左庫２０４ａ及び右庫２０４ｃは庫内温度が下降する。庫内ファン２４８をオフにすると中庫２０４ｂの庫内温度は下降し、左庫２０４ａ及び右庫２０４ｃの庫内温度は上昇する。これを繰り返すことにより、庫内の温度が設定温度に保たれる。なお、最初に左庫２０４ａと右庫２０４ｃの庫内温度が設定温度に到達し、次いで、中庫２０４ｂの庫内温度が設定温度に到達する。このため、左庫２０４ａの庫内ファン２４８と右庫２０４ｃの庫内ファン２４８とがオフになった後に、中庫２０４ｂの庫内ファン２４８がオフになる。
【０１４５】
なお、自動販売機をＣＨＣモードで稼働する場合には、加熱室２８１における加熱と冷却室２９１における冷却を同時に開始し、その後、冷却室２９１における冷却を中断する一方、加熱室２８１における加熱を継続するように制御する（加熱単独稼働となる）。このとき、圧縮機２８２を停止させる一方、ヒータ２８７を稼働する。したがって、冷却室２９１において余剰に蒸発熱を吸熱することがなく、冷やされた空気を自動販売機の外部に排出する必要はない。
【０１４６】
上述した本実施の形態２である自動販売機は、冷気吸込口閉塞位置から暖気吸込口閉塞位置に吸込口閉塞シャッタ２４３ａ１，２４３ｂ１を移動させるとともに冷気吐出口閉塞位置から暖気吐出口閉塞に吐出口閉塞シャッタ２４６ａ１，２４６ｂ１を移動させる場合、あるいは暖気吸込口閉塞位置から冷気吸込口閉塞位置に吸込口閉塞シャッタ２４３ａ１，２４３ｂ１を移動させるとともに暖気吐出口閉塞位置から冷気吐出口閉塞位置に吐出口閉塞シャッタ２４６ａ１，２４６ｂ１を移動させる場合において、吸込口閉塞シャッタ２４３ａ１，２４３ｂ１と吐出口閉塞シャッタ２４６ａ１，２４６ｂ１とはガイド溝３１１、３１２にガイドされて、仕切板２０３（床板）の上面から離反して移動するようになっている。このため、吸込口閉塞シャッタ２４３ａ１，２４３ｂ１の下面及び吐出口閉塞シャッタ２４６ａ１，２４６ｂ１の下面が仕切板２０３（床板）の上面に擦れることがなく、吸込口閉塞シャッタ２４３ａ１，２４３ｂ１の下面及び吐出口閉塞シャッタ２４６ａ１，２４６ｂ１の下面が疵つくことがない。したがって、吸込口閉塞シャッタ２４３ａ１，２４３ｂ１及び吐出口閉塞シャッタ２４６ａ１，２４６ｂ１の密閉性が劣化することがない。
【０１４７】
また、本実施の形態２である自動販売機は、吸込口閉塞シャッタ作動ナピアネジ３３０と吐出口閉塞シャッタ作動ナピアネジ３５０とを回転させる一つのモータ３７４を稼働することにより、吸込口閉塞シャッタ２４３ａ１，２４３ｂ１を冷気吸込口閉塞位置から暖気吸込口閉塞位置に移動させるとともに吐出口閉塞シャッタ２４６ａ１，２４６ｂ１を冷気吐出口閉塞位置から暖気吐出口閉塞位置に移動させることができ、また、吸込口閉塞シャッタ２４３ａ１，２４３ｂ１を暖気吸込口閉塞位置から冷気吸込口閉塞位置移動にさせるとともに吐出口閉塞シャッタ２４６ａ１，２４６ｂ１を暖気吐出口閉塞位置から冷気吐出口閉塞位置に移動させることができる。
【０１４８】
また、本実施の形態２である自動販売機は、吸込口閉塞シャッタ作動ナピアネジ３３０と吐出口閉塞シャッタ作動ナピアネジ３５０とを回転させる一つのモータ３７４を一方向に回転させることにより、吸込口閉塞シャッタ２４３ａ１，２４３ｂ１を冷気吸込口閉塞位置から暖気吸込口閉塞位置に移動させるとともに吐出口閉塞シャッタ２４６ａ１，２４６ｂ１を冷気吐出口閉塞位置から暖気吐出口閉塞位置に移動させた後、吸込口閉塞シャッタ２４３ａ１，２４３ｂ１を暖気吸込口閉塞位置から冷気吸込口閉塞位置に移動させるとともに吐出口閉塞シャッタ２４６ａ１，２４６ｂ１を暖気吐出口閉塞位置から冷気吐出口閉塞位置に移動させることができる。したがって、吸込口閉塞シャッタ２４３ａ１，２４３ｂ１及び吐出口閉塞シャッタ２４６ａ１，２４６ｂ１の移動方向によってモータ３７４の回転方向を変更する必要がない。
【図面の簡単な説明】
【０１４９】
【図１】本発明の実施の形態１に係る自動販売機を示した概略断面図である。
【図２】図１に示す自動販売機の側断面図である。
【図３】図２におけるＡ−Ａ線断面図である。
【図４】図２におけるＢ−Ｂ線断面図である。
【図５】開閉装置を示す側断面図である。
【図６】開閉装置を示す平面図である。
【図７】移動手段を示す側断面図である。
【図８】開閉装置の作用を示す説明図である。
【図９】開閉装置の動作を示す説明図である。
【図１０】開閉装置の動作を示す説明図である。
【図１１】開閉装置の動作を示す説明図である。
【図１２】開閉装置の作用を示す説明図である。
【図１３】開閉装置の他の構成を示す側断面図である。
【図１４】開閉装置の他の構成を示す側断面図である。
【図１５】開閉装置の他の構成を示す側断面図である。
【図１６】開閉装置の他の構成を示す側断面図である。
【図１７】移動手段の他の構成を示す側断面図である。
【図１８】本発明の実施の形態２である自動販売機の正面図であって、外扉と内扉とを外した状態を示すものである。
【図１９】図１８においてＣ−Ｃ線で縦断した自動販売機を示す縦断側面図である。
【図２０】図１８においてＤ−Ｄ線で縦断した自動販売機を示す縦断側面図である。
【図２１】冷気の循環を説明するための斜視図である。
【図２２】暖気の循環を説明するための斜視図である。
【図２３】図１８に示した自動販売機に着脱可能に取り付ける熱交換ユニットを示す斜視図である。
【図２４】図２３に示した熱交換ユニットの冷媒回路を示す回路図である。
【図２５】本発明の実施の形態２である自動販売機のシャッタ装置を示す側断面図である。
【図２６】図２５に示した自動販売機のシャッタ装置を斜め後方から見た斜視図である。
【図２７】図２６に示した自動販売機のシャッタ装置の断面図である。
【図２８】図２５に示した自動販売機のシャッタ装置の部分拡大断面図である。
【図２９】図２５に示した自動販売機のシャッタ装置を示す斜視図であって、冷気吸込口と冷気吐出口とを開放した状態を示したものである。
【図３０】図２５に示した自動販売機のシャッタ装置を示す斜視図であって、吸込口閉塞シャッタと吐出口閉塞シャッタの閉塞移動を示したものである。
【図３１】図２５に示した自動販売機のシャッタ装置を示す斜視図であって、暖気吸込口と暖気吐出口とを開放した状態を示したものである。
【図３２】本発明の実施の形態２である自動販売機の稼働状態を説明する図である。
【符号の説明】
【０１５０】
１４１，１４２，１４３    商品収容庫
１４７    底板
１４７ａ    上面（壁面）
１８    吸込口（開口部）
１８ａ    吸込通路（通路）
１９    吐出口（開口部）
１９ａ    吐出通路（通路）
３３    蒸発熱交換器
５０    冷温運転切換ユニット
５１    庫内送風ファン
５２    庫内ヒータ
５３    冷却容器
５３１    断熱仕切板
５３２    第一室
５３３    第二室
５４    シャッタ機構（開閉装置）
５４１    シャッタ（開閉部材）
５４１１    第一板状部材
５４１２    第二板状部材
５４１３    貫通孔
５４１４    閉塞面
５４２    移動手段
５４２１    支持シャフト
５４２２    ガイドレール
５４２２ａ    傾斜部
５４２２ｂ    離反部
５４２２ｃ    支持部
５４３    嵌合突起
５４４    気密部材
５４５    凹部（押圧手段）
５４６    凸部（押圧手段）
５４６ａ    斜面
５４７    移動手段
５４７１    支持軸
５４７２    固定軸
５４７３    連結部材
２０３    仕切板
２０４    商品収容室
２０４ａ    左庫（商品収容庫）
２０４ｂ    中庫（商品収容庫）
２０４ｃ    右庫（商品収容庫）
２０５    機械室
２０５ａ    暖気吸込ダクト
２０５ｂ    冷気吸込ダクト
２０５ｃ    冷気吐出ダクト
２０５ｄ    暖気吐出ダクト
２４２ａ，２４２ｂ，２４２ｃ    庫内風胴
２４３ａ１，２４３ｂ１    吸込口閉塞シャッタ
２４３ａ，２４３ｂ    暖気吸込口
２４４ａ，２４４ｂ，２４４ｃ    冷気吸込口
２４５ａ，２４５ｂ，２４５ｃ    冷気吐出口
２４６ａ，２４６ｂ    暖気吐出口
２４６ａ１，２４６ｂ１    吐出口閉塞シャッタ
２４８    庫内ファン
３００    シャッタ装置
３１０    側板
３１１，３１２    ガイド溝
３２０    シャッタ本体
３２１    断熱材
３２２    ガイド軸
３２３    プッシャ
３２４    ヒンジ
３２５    ガイドピン
３２６    支持ピン
３３０    吸込口閉塞シャッタ作動ナピアネジ
３３０ａ      往復運動用螺旋溝
３３１    サポート
３３２    カップリング
３４０    吸込口閉塞シャッタホルダ
３４１    送りナット
３４２    ガイドピン支承部
３４３    支持ピンガイド溝
３４４    圧縮コイルバネ
３５０    吐出口閉塞シャッタ作動ナピアネジ
３５０ａ    往復運動用螺旋溝
３５１    サポート
３６０    吐出口閉塞シャッタホルダ
３７１    従動ギア
３７２    ギアヘッド
３７３    駆動ギア
３７４    モータ
【図１】
2008065805.tif 000003
【図２】
2008065805.tif 000004
【図３】
2008065805.tif 000005
【図４】
2008065805.tif 000006
【図５】
2008065805.tif 000007
【図６】
2008065805.tif 000008
【図７】
2008065805.tif 000009
【図８】
2008065805.tif 000010
【図９】
2008065805.tif 000011
【図１０】
2008065805.tif 000012
【図１１】
2008065805.tif 000013
【図１２】
2008065805.tif 000014
【図１３】
2008065805.tif 000015
【図１４】
2008065805.tif 000016
【図１５】
2008065805.tif 000017
【図１６】
2008065805.tif 000018
【図１７】
2008065805.tif 000019
【図１８】
2008065805.tif 000020
【図１９】
2008065805.tif 000021
【図２０】
2008065805.tif 000022
【図２１】
2008065805.tif 000023
【図２２】
2008065805.tif 000024
【図２３】
2008065805.tif 000025
【図２４】
2008065805.tif 000026
【図２５】
2008065805.tif 000027
【図２６】
2008065805.tif 000028
【図２７】
2008065805.tif 000029
【図２８】
2008065805.tif 000030
【図２９】
2008065805.tif 000031
【図３０】
2008065805.tif 000032
【図３１】
2008065805.tif 000033
【図３２】
2008065805.tif 000034